(57)【要約】  部分的に水素化されたファルネセンを含む組成物が本明細書に提供される。特定の実施態様において、該組成物は、溶媒、脱脂剤、洗浄製品、パーソナルケア製品として、及び他の用途に有用である。該組成物を製造する方法及びそれらの使用方法も本明細書に提供される。【選択図】図１
2017520668.tif 000002
【特許請求の範囲】
【請求項１】
組成物中のファルネセンとファルネセン誘導体の総量に比べて、約78重量%〜約85重量%のジヒドロファルネセン及び約20重量%〜約14重量%のテトラヒドロファルネセンを含む組成物。
【請求項２】
前記組成物中のファルネセンとファルネセン誘導体の総量に比べて、約83重量%〜約85重量%のジヒドロファルネセン及び約16重量%〜約14重量%のテトラヒドロファルネセンを含む、請求項１記載の組成物。
【請求項３】
組成物中のファルネセンとファルネセン誘導体の総量に比べて、約78重量%〜約97重量%のジヒドロファルネセン及び約20重量%〜約2重量%のテトラヒドロファルネセンを含む組成物。
【請求項４】
前記組成物中のファルネセンとファルネセン誘導体の総量に比べて、約83重量%〜約97重量%のジヒドロファルネセン及び約16重量%〜約2重量%のテトラヒドロファルネセンを含む、請求項３記載の組成物。
【請求項５】
前記組成物中のファルネセンとファルネセン誘導体の総量に比べて、約96重量%のジヒドロファルネセンを含む、請求項４記載の組成物。
【請求項６】
前記組成物中のファルネセンとファルネセン誘導体の総量に比べて、約0.1重量%〜約2重量%のヘキサヒドロファルネセンをさらに含む、請求項１〜５のいずれか一項記載の組成物。
【請求項７】
前記組成物中のファルネセンとファルネセン誘導体の総量に比べて、約0.1重量%未満のファルネサンをさらに含む、請求項１〜６のいずれか一項記載の組成物。
【請求項８】
前記組成物中のファルネセンとファルネセン誘導体の総量に比べて、約0.25重量%未満のビスボレンをさらに含む、請求項１〜７のいずれか一項記載の組成物。
【請求項９】
前記ファルネセン及びファルネセン誘導体が、前記組成物中の該ファルネセン及びファルネセン誘導体の1分子あたり、平均で、約1.0〜約1.25個の二重結合を含む、請求項１〜８のいずれか一項記載の組成物。
【請求項１０】
前記ファルネセン及びファルネセン誘導体が、前記組成物中の該ファルネセン及びファルネセン誘導体の1分子あたり、平均で、約1.1〜約1.2個の二重結合を含む、請求項９記載の組成物。
【請求項１１】
前記ファルネセン及びファルネセン誘導体が、前記組成物中の該ファルネセン及びファルネセン誘導体の1分子あたり、平均で、約1.04〜約1.16個の二重結合を含む、請求項９記載の組成物。
【請求項１２】
共溶媒をさらに含む、請求項１〜１１のいずれか一項記載の組成物。
【請求項１３】
前記共溶媒が、リモネン、ベンゼン、高引火点芳香族ナフサ、大豆メチルエステル、乳酸エチル、パラフィン、二塩基酸エステル、プロピレングリコール、エチルアルコール、及びこれらの混合物からなる群から選択される、請求項１２記載の組成物。
【請求項１４】
前記共溶媒がリモネンである、請求項１３記載の組成物。
【請求項１５】
請求項１〜１４のいずれか一項記載の組成物を含む溶媒。
【請求項１６】
請求項１〜１４のいずれか一項記載の組成物を含む脱脂剤。
【請求項１７】
請求項１〜１４のいずれか一項記載の組成物を含む洗浄製品。
【請求項１８】
請求項１〜１４のいずれか一項記載の組成物を含むパーソナルケア製品。
【請求項１９】
基材を洗浄する方法であって、該基材を、請求項１〜１７のいずれか一項記載の組成物、溶媒、脱脂剤、又は洗浄製品と接触させる工程を含む、前記方法。
【請求項２０】
物体を脱脂する方法であって、該物体を、請求項１〜１７のいずれか一項記載の組成物、溶媒、脱脂剤、又は洗浄製品と接触させる工程を含む、前記方法。
【請求項２１】
皮膚、髪、又は爪に、請求項１〜１５及び１８のいずれか一項記載の組成物又はパーソナルケア製品を適用する方法。
【請求項２２】
組成物中のファルネセンとファルネセン誘導体の総量に比べて、約60重量%〜約100重量%のジヒドロファルネセンを含み、共溶媒、界面活性剤、水、乳化剤、軟化剤、増粘剤、又はこれらの混合物の少なくとも1つをさらに含む組成物。
【請求項２３】
前記組成物中のファルネセンとファルネセン誘導体の総量に比べて、約78重量%〜約85重量%のジヒドロファルネセンを含み、約20重量%〜約14重量%のテトラヒドロファルネセンをさらに含む、請求項２２記載の組成物。
【請求項２４】
前記組成物中のファルネセンとファルネセン誘導体の総量に比べて、約83重量%〜約85重量%のジヒドロファルネセンを含み、約16重量%〜約14重量%のテトラヒドロファルネセンをさらに含む、請求項２２記載の組成物。
【請求項２５】
前記組成物中のファルネセンとファルネセン誘導体の総量に比べて、約78重量%〜約97重量%のジヒドロファルネセンを含み、約20重量%〜約2重量%のテトラヒドロファルネセンをさらに含む、請求項２２記載の組成物。
【請求項２６】
前記組成物中のファルネセンとファルネセン誘導体の総量に比べて、約83重量%〜約97重量%のジヒドロファルネセンを含み、約16重量%〜約2重量%のテトラヒドロファルネセンをさらに含む、請求項２２記載の組成物。
【請求項２７】
前記組成物中のファルネセンとファルネセン誘導体の総量に比べて、約96重量%のジヒドロファルネセンを含む、請求項２６記載の組成物。
【請求項２８】
前記組成物中のファルネセンとファルネセン誘導体の総量に比べて、約0.1重量%〜約2重量%のヘキサヒドロファルネセンをさらに含む、請求項２２〜２７のいずれか一項記載の組成物。
【請求項２９】
前記組成物中のファルネセンとファルネセン誘導体の総量に比べて、約0.1重量%未満のファルネサンをさらに含む、請求項２２〜２８のいずれか一項記載の組成物。
【請求項３０】
前記組成物中のファルネセンとファルネセン誘導体の総量に比べて、約0.25重量%未満のビスボレンをさらに含む、請求項２２〜２９のいずれか一項記載の組成物。
【請求項３１】
前記ファルネセン及びファルネセン誘導体が、前記組成物中の該ファルネセン及びファルネセン誘導体の1分子あたり、平均で、約1.0〜約1.25個の二重結合を含む、請求項２２〜３０のいずれか一項記載の組成物。
【請求項３２】
前記ファルネセン及びファルネセン誘導体が、前記組成物中の該ファルネセン及びファルネセン誘導体の1分子あたり、平均で、約1.0〜約1.2個の二重結合を含む、請求項３１記載の組成物。
【請求項３３】
前記ファルネセン及びファルネセン誘導体が、前記組成物中の該ファルネセン及びファルネセン誘導体の1分子あたり、平均で、約1.04〜約1.16個の二重結合を含む、請求項３１記載の組成物。
【請求項３４】
共溶媒を含む、請求項２２〜３３のいずれか一項記載の組成物。
【請求項３５】
前記共溶媒が、リモネン、ベンゼン、高引火点芳香族ナフサ、大豆メチルエステル、乳酸エチル、パラフィン、二塩基酸エステル、プロピレングリコール、エチルアルコール、及びこれらの混合物からなる群から選択される、請求項３４記載の組成物。
【請求項３６】
前記共溶媒がリモネンである、請求項３５記載の組成物。
【請求項３７】
界面活性剤をさらに含む、請求項２２〜３６のいずれか一項記載の組成物。
【請求項３８】
前記界面活性剤が、ラウリルエーテル硫酸ナトリウム、エトキシ化アルコール界面活性剤、脂肪酸ジエタノールアミン、橙皮油乳化剤、アクリラート系エマルションコポリマー、ラウリルアルコールのポリオキシエーテル、ドデシルベンゼンスルホン酸直鎖イソプロピルアミン、ブレンドされたアルコールエトキシラート、アルコキシ化アルコール、イミノジプロピオン酸ナトリウム、非イオン性アルコールエトキシラート、パーム核アルコールエトキシ化及びプロポキシ化界面活性剤、キシレンスルホン酸ナトリウム、及びこれらの混合物からなる群から選択される、請求項３７記載の組成物。
【請求項３９】
水をさらに含む、請求項２２〜３８のいずれか一項記載の組成物。
【請求項４０】
乳化剤をさらに含む、請求項２２〜３９のいずれか一項記載の組成物。
【請求項４１】
前記乳化剤が、ラウリルアルコール、脂肪酸ジエタノールアミン、メチル硫酸アンモニウム及び脂肪族アルコールエトキシラート、直鎖アルコールエトキシラート、分岐ドデシルベンゼンスルホン酸ナトリウム、並びにこれらの混合物からなる群から選択される、請求項４０記載の組成物。
【請求項４２】
軟化剤をさらに含む、請求項２２〜４１のいずれか一項記載の組成物。
【請求項４３】
前記軟化剤が、脂肪酸、アルキルエトキシラート、脂肪酸エステルエトキシラート、脂肪族アルコール、ポリシロキサン、ムコ多糖、ポリオール、多糖、尿素誘導体、ミリスチン酸PPG-3ベンジルエーテル、水添ポリイソブテン、ブチエレン/エチレン/スチレンコポリマー、エチレン/プロピレン/スチレンコポリマー、ビスジグリセリルポリアシルアジペート-2、テトライソステアリン酸ペンタエリスリチル、C10-30コレステロール/ラノステロールエステル、又はこれらの混合物からなる群から選択される、請求項４２記載の組成物。
【請求項４４】
増粘剤をさらに含む、請求項２２〜４３のいずれか一項記載の組成物。
【請求項４５】
前記増粘剤が、セルロースの増粘剤、天然ゴム、アクリル酸塩、スターチ、ステアラート、脂肪酸アルコール、粘土、塩、カンデリラ蝋、カルナバ蝋、蜜蝋、油、直鎖アルコールエトキシラート、及びこれらの混合物からなる群から選択される、請求項４４記載の組成物。
【請求項４６】
緩衝剤、pH制御剤、香料、香味料、消泡剤、染料、漂白剤、増白剤、可溶化物質、安定剤、増粘剤、腐食防止剤、ローション、鉱油、酵素、曇点調節剤、保存剤、イオン交換体、キレート剤、起泡制御剤、汚れ除去剤、柔軟剤、乳白剤、不活性な希釈剤、灰色化阻害剤、ポリマー、研磨剤、角質除去剤、及びこれらの混合物からなる群から選択される少なくとも１種の添加剤をさらに含む、請求項２２〜４５のいずれか一項記載の組成物。
【請求項４７】
請求項２２〜４６のいずれか一項記載の組成物を含む溶媒。
【請求項４８】
請求項２２〜４６のいずれか一項記載の組成物を含む脱脂剤。
【請求項４９】
請求項２２〜４６のいずれか一項記載の組成物を含む洗浄製品。
【請求項５０】
請求項２２〜４６のいずれか一項記載の組成物を含むパーソナルケア製品。
【請求項５１】
基材を洗浄する方法であって、該基材を、請求項２２〜４９のいずれか一項記載の組成物、溶媒、脱脂剤、又は洗浄製品と接触させる工程を含む、前記方法。
【請求項５２】
物体を脱脂する方法であって、該物体を、請求項２２〜４９のいずれか一項記載の組成物、溶媒、脱脂剤、又は洗浄製品と接触させる工程を含む、前記方法。
【請求項５３】
皮膚、髪、又は爪に、請求項２２〜４７及び５０のいずれか一項記載の組成物又はパーソナルケア製品を適用することを含む方法。
【請求項５４】
(a)請求項１〜１８及び２２〜５０のいずれか一項記載の組成物;並びに
(b)該組成物を使用するための説明書
を含むキット。
【請求項５５】
組成物を製造する方法であって:
(a)ファルネセンを含む組成物を、水素化触媒の存在下で水素と反応させて、ファルネセンとファルネセン誘導体の総量に比べて、約60重量%〜約100重量%のジヒドロファルネセンを含む組成物を製造すること;及び
(b)吸着剤を使用して工程(a)の生成物を濾過して、小さい揮発性の有機オキシジェネート化合物を除去すること
を含む、前記方法。
【請求項５６】
工程(b)の後に、前記組成物に安定剤を加えることをさらに含み、該安定剤が、酸化されるとき、キノンを形成しない、請求項５５記載の方法。
【請求項５７】
前記吸着剤が、アルミナ、シリカ、又はこれらの混合物を含む、請求項５５又は５６のいずれか一項記載の方法。
【請求項５８】
前記小さい揮発性の有機オキシジェネート化合物がC4〜C10化合物である、請求項５５〜５７のいずれか一項記載の方法。
【請求項５９】
請求項５５〜５８のいずれか一項記載の方法により製造された組成物。
【請求項６０】
前記組成物中のファルネセンとファルネセン誘導体の総量に比べて、約78重量%〜約97重量%のジヒドロファルネセンを含み、約20重量%〜約2重量%のテトラヒドロファルネセンをさらに含む、請求項５９記載の組成物。
【請求項６１】
前記組成物中のファルネセンとファルネセン誘導体の総量に比べて、約83重量%〜約97重量%のジヒドロファルネセンを含み、約16重量%〜約2重量%のテトラヒドロファルネセンをさらに含む、請求項５９記載の組成物。
【請求項６２】
前記組成物中のファルネセンとファルネセン誘導体の総量に比べて、約96重量%のジヒドロファルネセンを含む、請求項５９記載の組成物。
【請求項６３】
前記組成物中のファルネセンとファルネセン誘導体の総量に比べて、約0.1重量%〜2重量%のヘキサヒドロファルネセンをさらに含む、請求項５９〜６２のいずれか一項記載の組成物。
【請求項６４】
前記組成物中のファルネセンとファルネセン誘導体の総量に比べて、約0.1重量%未満のファルネサンをさらに含む、請求項５９〜６３のいずれか一項記載の組成物。
【請求項６５】
前記組成物中のファルネセンとファルネセン誘導体の総量に比べて、約0.25重量%未満のビスボレンをさらに含む、請求項５９〜６４のいずれか一項記載の組成物。
【請求項６６】
前記ファルネセン及びファルネセン誘導体が、前記組成物中の該ファルネセン及びファルネセン誘導体の1分子あたり、平均で、約1.0〜約1.2個の二重結合を含む、請求項５９〜６５のいずれか一項記載の組成物。
【請求項６７】
前記ファルネセン及びファルネセン誘導体が、前記組成物中の該ファルネセン及びファルネセン誘導体の1分子あたり、平均で、約1.04〜約1.16個の二重結合を含む、請求項６６記載の組成物。
【請求項６８】
組成物中のファルネセンとファルネセン誘導体の総量に比べて、約78重量%〜約97重量%のジヒドロファルネセン及び約20重量%〜約2重量%のテトラヒドロファルネセンを含み、酸化されるときにキノンを形成しない安定剤を含む組成物。
【請求項６９】
前記組成物中のファルネセンとファルネセン誘導体の総量に比べて、約83重量%〜約97重量%のジヒドロファルネセン及び約16重量%〜約2重量%のテトラヒドロファルネセンを含む、請求項６８記載の組成物。
【請求項７０】
前記安定剤がブチル化ヒドロキシトルエンである、請求項６８又は６９記載の組成物。
【請求項７１】
前記安定剤が、約100〜500ppmの濃度で存在する、請求項６８〜７０のいずれか一項記載の組成物。
【請求項７２】
C4〜C10揮発性有機オキシジェネート化合物を実質的に含まない、請求項６８〜７１のいずれか一項記載の組成物。
【請求項７３】
共溶媒、界面活性剤、水、乳化剤、軟化剤、増粘剤、又はこれらの混合物の少なくとも1つをさらに含む、請求項６８〜７２のいずれか一項記載の組成物。
【発明の詳細な説明】
【技術分野】
【０００１】
（関連出願の相互参照）
本願は、2014年5月2日に出願された米国仮特許出願第61/988,053号、2014年5月16日に出願された米国仮特許出願第61/994,389号、及び2014年9月18日に出願された米国仮特許出願第62/052,397号の優先権の利益を主張し、これらを引用により本明細書に組み込む。
【０００２】
（分野）
部分的に水素化されたファルネセンを含む組成物、それらの使用方法、及びそれらの製造方法が本明細書に提供される。特定の実施態様において、該組成物は、洗浄溶媒などの溶媒及び脱脂剤として有用である。特定の実施態様において、該組成物はパーソナルケア製品として有用である。
【背景技術】
【０００３】
（背景）
市販の多くの消費者向け製品は揮発性有機化合物(VOC)を含む溶媒を含み、それらは環境にやさしくない。米国環境保護庁及び州当局は、種々の製品からのVOC排出量を低減する規制を発した。VOCは、地表レベルオゾンの形成の主な寄与因子であることが特定され、それは公衆衛生上の問題であることが証明された。オゾンレベルを低下させるために、該規制は、溶媒組成物及び洗浄製品製剤などの種々の部類の製品に使用できるVOCの量及び種類を限定している。種々の当局によりに発せられるVOCの制限は、常に変化し、より限定的になりつつある。
【０００４】
溶媒組成物は、私たちの毎日の生活において、家具、床、壁、機械装置、自動車、自転車、衣類、皮膚などの表面から有機物質及び他の物質を除去するのに有用である。有用な溶媒は、蒸気圧、粘度、脱脂力、安定性、臭い、及び/又は色などの有利な性質を有する。多くの用途では、有利な安全性プロファイルが望まれる。低い環境への影響及び低いVOC含量を有する溶媒組成物が必要とされ、持続可能で再生可能な源から提供されている溶媒組成物はほとんどない。
【０００５】
したがって、可能であれば持続可能で再生可能な源から、所望の性質を有する新たな溶媒組成物が常に必要とされている。また、低いVOC排出基準を満たし、環境にやさしい溶媒組成物を改善する必要がある。
【発明の概要】
【０００６】
（概要）
溶媒として有用な組成物、それらの使用方法、及びそれらの製造方法が本明細書に提供される。特定の実施態様において、組成物は、有利な溶解力、有利な安定性、及び/又は有利な安全性を示す。特定の実施態様において、組成物は、低い引火点を有し、不燃性である。特定の実施態様において、組成物は、硫黄を含まないか、又は実質的に含まず、臭い及び色が少ない。いくつかの実施態様において、本明細書に提供される組成物は軟化性を有し、それはパーソナルケア製品において望ましい。特に有利な実施態様において、組成物は、持続可能で再生可能な源から製造される。
【０００７】
本明細書に提供される組成物及び製品は、洗浄効率又は他の性能性質を損なわずに、他の市販製品と比較して、優れた環境プロファイル、例えば、低いVOC含量も有する。特定の実施態様において、本明細書に提供される組成物及び製品はVOC免除である。組成物は、以下の基準の1つを満たすとVOC免除有機溶媒であると考えられる:(1)ARB Method 310により測定して、20℃で0.1mmHg未満の蒸気圧を有する;又は(2)12個を超える炭素原子を有する化学化合物であるか、若しくは12個を超える炭素原子を有する化合物からのみ構成される化学混合物であり、且つ蒸気圧が未知である;又は(3)ARB Method 310により測定して、216℃を超える沸点を有する化学化合物である。そのため、本明細書に提供される組成物を使用して、d-リモネンなどの既存の有機溶媒を置き換えるか、又は補って、最終製品のVOC排出プロファイル及び他の性質を改善することができる。
【０００８】
一態様において、部分的に水素化されたファルネセンを含む組成物が本明細書に提供される。一実施態様において、組成物は高いパーセンテージのジヒドロファルネセンを含む。ジヒドロファルネセンは、水素化された二重結合を1つ有する。組成物は、テトラヒドロファルネセンを、典型的には、ジヒドロファルネセンの量よりも少ない量でさらに含む。テトラヒドロファルネセンは、水素化された二重結合を2つ含む。組成物は、ヘキサヒドロファルネセン及び/又はファルネサンを、典型的には、ジヒドロファルネセン及びテトラヒドロファルネセンよりも少ない量でさらに含み得る。ヘキサヒドロファルネセンは、水素化された二重結合を3つ有し、ファルネサンは完全に水素化されている(二重結合が全くない)。
【０００９】
特定の実施態様において、組成物は、該組成物中のファルネセンとファルネセン誘導体の総量に比べて、約78重量%〜約85重量%のジヒドロファルネセン及び約20重量%〜約14重量%のテトラヒドロファルネセンを含む。特定の実施態様において、組成物は、該組成物中のファルネセンとファルネセン誘導体の総量に比べて、約83重量%〜約85重量%のジヒドロファルネセン及び約16重量%〜約14重量%のテトラヒドロファルネセンを含む。特定の実施態様において、組成物は、該組成物中のファルネセンとファルネセン誘導体の総量に比べて、約78重量%〜約97重量%のジヒドロファルネセン及び約20重量%〜約2重量%のテトラヒドロファルネセンを含む。特定の実施態様において、組成物は、該組成物中のファルネセンとファルネセン誘導体の総量に比べて、約83重量%〜約97重量%のジヒドロファルネセン及び約16重量%〜約2重量%のテトラヒドロファルネセンを含む。特定の実施態様において、組成物は、該組成物中のファルネセンとファルネセン誘導体の総量に比べて、約96重量%のジヒドロファルネセンを含む。
【００１０】
特定の実施態様において、組成物は、該組成物中のファルネセンとファルネセン誘導体の総量に比べて、約0.1重量%〜約2重量%のヘキサヒドロファルネセンをさらに含む。
【００１１】
特定の実施態様において、組成物は、該組成物中のファルネセンとファルネセン誘導体の総量に比べて、約0.1重量%未満のファルネサンをさらに含む。
【００１２】
特定の実施態様において、組成物は、該組成物中のファルネセンとファルネセン誘導体の総量に比べて、約0.25重量%未満のビスボレン（bisbolene）を含む。
【００１３】
特定の実施態様において、組成物は、該組成物中のファルネセン又はファルネセン誘導体の１分子あたり、平均で、約1.0〜約1.4個の二重結合を含む。言い換えると、組成物中のファルネセン及びファルネセン誘導体分子の二重結合の総数と、組成物中のファルネセン及びファルネセン誘導体分子の総数との比は、約1.0〜約1.4である。特定の実施態様において、組成物は、該組成物中のファルネセン及びファルネセン誘導体の1分子あたり、平均で、約1.0〜約1.25個の二重結合を含む。特定の実施態様において、組成物は、該組成物中のファルネセン及びファルネセン誘導体の1分子あたり、平均で、約1.1〜約1.2個の二重結合を含む。特定の実施態様において、組成物は、該組成物中のファルネセン及びファルネセン誘導体の1分子あたり、平均で、約1.04〜約1.16個の二重結合を含む。
【００１４】
別の態様において、組成物は、該組成物中のファルネセンとファルネセン誘導体の総量に比べて、約60重量%〜約100重量%のジヒドロファルネセンを含む。特定の実施態様において、組成物は、共溶媒、界面活性剤、水、乳化剤、軟化剤、増粘剤、添加剤、又はこれらの混合物の少なくとも１つをさらに含む。
【００１５】
特定の実施態様において、組成物は、共溶媒をさらに含む。いくつかの実施態様において、共溶媒は、リモネン、ベンゼン、高引火点芳香族ナフサ、大豆メチルエステル、乳酸エチル、パラフィン、二塩基酸エステル、プロピレングリコール、エチルアルコール、及びこれらの混合物からなる群から選択される。
【００１６】
特定の実施態様において、組成物は、界面活性剤をさらに含む。いくつかの実施態様において、界面活性剤は、ラウリルエーテル硫酸ナトリウム、エトキシ化アルコール界面活性剤、脂肪酸ジエタノールアミン、橙皮油乳化剤、アクリラート系乳化コポリマー、ラウリルアルコールのポリオキシエーテル、ドデシルベンゼンスルホン酸直鎖イソプロピルアミン、ブレンドされたアルコールエトキシラート、アルコキシ化アルコール、イミノジプロピオン酸ナトリウム、非イオン性アルコールエトキシラート、パーム核アルコールエトキシ化及びプロポキシ化界面活性剤、キシレンスルホン酸ナトリウム、及びこれらの混合物からなる群から選択される。
【００１７】
特定の実施態様において、組成物は水をさらに含む。
【００１８】
特定の実施態様において、組成物は、乳化剤をさらに含む。いくつかの実施態様において、乳化剤は、ラウリルアルコール、脂肪酸ジエタノールアミン、メチル硫酸アンモニウム及び脂肪族アルコールエトキシラート、直鎖アルコールエトキシラート、分岐ドデシルベンゼンスルホン酸ナトリウム、並びにこれらの混合物からなる群から選択される。
【００１９】
特定の実施態様において、組成物は、軟化剤をさらに含む。いくつかの実施態様において、軟化剤は、脂肪酸、アルキルエトキシラート、脂肪酸エステルエトキシラート、脂肪族アルコール、ポリシロキサン、ムコ多糖、ポリオール、多糖、尿素誘導体、ミリスチン酸PPG-3ベンジルエーテル、水添ポリイソブテン、ブチレン/エチレン/スチレンコポリマー、エチレン/プロピレン/スチレンコポリマー、ビスジグリセリルポリアシルアジペート-2、テトライソステアリン酸ペンタエリスリチル、C10-30コレステロール/ラノステロールエステル、又はこれらの混合物からなる群から選択される。
【００２０】
特定の実施態様において、組成物は、増粘剤をさらに含む。いくつかの実施態様において、増粘剤は、セルロースの増粘剤、天然ゴム、アクリル酸塩、スターチ、ステアラート、脂肪酸アルコール、粘土、塩、カンデリラ蝋、カルナバ蝋、蜜蝋、油、直鎖アルコールエトキシラート、及びこれらの混合物からなる群から選択される。
【００２１】
特定の実施態様において、組成物は、少なくとも1種の添加剤をさらに含む。いくつかの実施態様において、少なくとも1種の添加剤は、緩衝剤、pH制御剤、香料、香味料、消泡剤、染料、漂白剤、増白剤、可溶化物質、安定剤、増粘剤、腐食防止剤、ローション、鉱油、酵素、曇点調節剤、保存剤、イオン交換体、キレート剤、起泡制御剤、汚れ除去剤、柔軟剤、乳白剤、不活性な希釈剤、灰色化阻害剤（graying inhibitor）、ポリマー、研磨剤、角質除去剤、及びこれらの混合物からなる群から選択される。
【００２２】
別の態様において、本明細書に記載される部分的に水素化された本組成物及び該組成物を使用するための説明書を含むキットが本明細書に提供される。
【００２３】
別の態様において、組成物を製造する方法であって、(a)ファルネセンを含む組成物を、水素化触媒の存在下で水素と反応させて、該組成物中のファルネセンとファルネセン誘導体の総量に比べて約60重量%〜約100重量%のジヒドロファルネセンを含む組成物を製造すること;及び(b)吸着剤を利用して工程(a)の生成物を濾過して、小さな揮発性の有機オキシジェネート（oxygenate）化合物を除去することを含む方法が本明細書に提供される。特定の実施態様において、該方法は、工程(b)の後に、酸化されたときにキノンを形成しない安定剤を該組成物に加えることをさらに含む。特定の実施態様において、該吸着剤は、アルミナ、シリカ、又はこれらの混合物を含む。特定の実施態様において、工程(b)で濾過される小さな揮発性有機オキシジェネート化合物は、C4〜C10化合物である。特定の実施態様において、小さな揮発性有機オキシジェネート化合物を実質的に含まない、該方法により製造される組成物が提供される。該方法により製造される組成物は、酸化されるときに、変色せず、キノンも形成しない安定剤をさらに含み得る。
【００２４】
別の態様において、組成物中のファルネセンとファルネセン誘導体の総量に比べて、約78重量%〜約97重量%のジヒドロファルネセン及び約20重量%〜約2重量%のテトラヒドロファルネセンを含む組成物が本明細書に提供される。いくつかの実施態様において、該組成物は、酸化されるときにキノンを形成しない安定剤をさらに含む。特定の実施態様において、安定剤はブチル化ヒドロキシトルエンである。特定の実施態様において、安定剤は、該組成物中に約100〜500ppmの濃度で存在する。特定の実施態様において、該組成物は、C4〜C10揮発性有機オキシジェネート化合物を実質的に含まない。これらの臭気を発する不純物は、吸着剤を利用して濾去できる。特定の実施態様において、該組成物は、共溶媒、界面活性剤、水、乳化剤、軟化剤、増粘剤、又はこれらの混合物の少なくとも1つをさらに含む。
【００２５】
別の態様において、該組成物を含む製品が本明細書に提供される。有用な製品には、溶媒、脱脂剤、洗浄製品、パーソナルケア製品などがある。さらなる態様において、該組成物を製造及び使用する方法が本明細書に提供される。該組成物は、例えば、洗浄に、脱脂に、及び当業者に有用であると思われるあらゆる他の用途に使用できる。
【図面の簡単な説明】
【００２６】
（図面の簡単な説明）
【図１】図1のパネルAからIは、アスファルト洗浄カメラ画像(右のパネル)及び画像解析ソフトウェアによる処理後の画像(左のパネル)を与える。
【００２７】
【図２】図2のパネルAからKは、リチウムグリース洗浄カメラ画像(右のパネル)及び画像解析ソフトウェアによる処理後の画像(左のパネル)を与える。
【００２８】
【図３】図3は、本明細書に提供される一実施態様によるハンドクリーナー製剤により洗浄された汚れたパネル及び市販のハンドクリーナーにより洗浄された同様に汚れたパネルを示す写真を表す。
【００２９】
【図４】図4は、本明細書に提供される一実施態様によるハンドクリーナー製剤により洗浄されたインクマーカーラインの付いたパネル及び市販のハンドクリーナーにより洗浄された同様に汚れたパネルの写真を表す。
【００３０】
【図５】図5は、本明細書に提供される一実施態様による脱脂剤除去剤(degreaser remover)製剤により洗浄されたインクマーカーラインにより汚れたパネル及び市販のインク除去剤製品により洗浄された同様に汚れたパネルの写真を表す。
【００３１】
【図６】図6は、本明細書に提供される一実施態様による脱脂剤製剤により洗浄されたクレヨンラインにより汚れたパネル及び市販の洗浄製品により洗浄された同様に汚れたパネルの写真を表す。
【００３２】
【図７】図7は、本明細書に提供される一実施態様による脱脂剤製剤により洗浄された汚れたスチールパネル及び市販の脱脂剤製品により洗浄された同様に汚れたパネルの写真を表す。
【００３３】
【図８】図8は、本明細書に提供される一実施態様によるエンジン脱脂剤製剤により洗浄された汚れたパネル及び市販の脱脂剤製品により洗浄された同様に汚れたパネルの写真を表す。
【００３４】
【図９】図9は、本明細書に提供される一実施態様によるスプレー式クリーナーによる洗浄前後の汚れたほうろうタイルの写真を表す。
【００３５】
【図１０Ａ】図10Aは、本明細書に提供される一実施態様によるハンドクリーナーワイプと市販のワイプ製剤の比較の洗浄効率を示す棒グラフを表す。
【００３６】
【図１０Ｂ】図10Bは、本明細書に提供される一実施態様によるハンドクリーナーワイプと市販のワイプ製剤の洗浄効率を示す写真を表す。
【００３７】
【図１１】図11は、本明細書に提供される一実施態様によるハンドクリーナータオル液体により洗浄されたマーカーラインの付いたパネル及び市販のハンドクリーナータオルにより洗浄された同様に汚れたパネルの写真を表す。
【００３８】
【図１２】図12は、種々の溶媒により除去されたタール汚れの量を表す。
【００３９】
【図１３】図13A及び13Bは、アスファルテン及びリチウムグリースの除去における、市販の製品と比べた、本明細書に提供される2つの異なる組成物実施態様の洗浄効率を表す。
【発明を実施するための形態】
【００４０】
（典型的な実施態様の説明）
溶媒として有用な組成物、それらの使用方法、及びそれらの製造方法が本明細書に提供される。
【００４１】
（定義）
本明細書に提供される化合物、組成物、及び方法に言及される場合、以下の用語は他に示されない限り以下の意味を有する。他に定義されない限り、本明細書に使用される全科学技術用語は、当業者により通常理解されている意味と同じ意味を有する。本明細書の用語に複数の定義がある場合、他に記載のない限り、この項にあるものが優先する。
【００４２】
本明細書で使用される「ファルネセン」は、α-ファルネセン、β-ファルネセン、又はこれらの混合物を指す。「α-ファルネセン」は、以下の構造を有する化合物又はその立体異性体を指す:
【化１】
2017520668.tif 000003
。「β-ファルネセン」は、以下の構造を有する化合物又はその立体異性体を指す:
【化２】
2017520668.tif 000004
。いくつかの変形において、β-ファルネセンは、β-ファルネセンの実質的に純粋な立体異性体を含む。他の変形において、β-ファルネセンは、シス-トランス異性体などの立体異性体の混合物を含む。いくつかの変形において、β-ファルネセン混合物中の立体異性体のそれぞれの量は、独立に、β-ファルネセン混合物の総重量に対して、約0.1重量%〜約99.9重量%、約0.5重量%〜約99.5重量%、約1重量%〜約99重量%、約5重量%〜約95重量%、約10重量%〜約90重量%、約20重量%〜約80重量%である。
【００４３】
「ファルネサン」は、以下の構造を有する化合物又はその立体異性体を指す:
【化３】
2017520668.tif 000005
。
【００４４】
「水素化されたファルネセン」は、少なくとも1つの炭素-炭素二重結合が水素化されているファルネセン(例えば、β-ファルネセン)を指す。水素化されたファルネセンは、例えば、1、2、3、又は4つの二重結合が水素化されているβ-ファルネセンを包含する。水素化されたファルネセンは、ファルネセンの完全又は部分的な水素化により得られ、ファルネサンを包含する。
【００４５】
「部分的に水素化されたファルネセン」は、1、2、又は3つの二重結合が水素化されているファルネセン(例えば、β-ファルネセン)を指す。部分的に水素化されたファルネセンは、ファルネセンの部分的な水素化により得ることができる。いくつかの実施態様において、例えばファルネセンの部分的な水素化により得られた部分的に水素化されたファルネセンを含む組成物は、ジヒドロファルネセン、テトラヒドロファルネセン、及びヘキサヒドロファルネセンの1つ以上に加えて、ある量のファルネセン及び/又はファルネサンを含み得る。
【００４６】
「総ファルネセン/ファルネサン」は、組成物中のファルネセン及びファルネセン誘導体分子の総量を指す。ファルネセン誘導体は、ジヒドロファルネセン、テトラヒドロファルネセン、ヘキサヒドロファルネセン、及びファルネサン、並びにそのマルチマー、並びにファルネセンのマルチマーを含む。ファルネセン誘導体は、ファルネセン及び/又はファルネサンの反応性誘導体をさらに含み得る。これらは、酸化性誘導体、ファルネソールなどのヒドロキシル誘導体、エポキシ誘導体、並びに当業者により認められるファルネセン及び/又はファルネサンの他の誘導体を含む。いくつかの実施態様において、部分的に水素化されたファルネセンを含む組成物(「部分的に水素化されたファルネセン組成物」とも称される)は、ファルネセン及びファルネセン誘導体を含む。
【００４７】
本明細書で使用される通り、%は、具体的に他に示されない限り、重量%として、又はGC-MS若しくはGC-FIDによる面積%として測定された%を指す。
【００４８】
物品(化合物又は化合物を含む組成物を含むがこれらに限定されない)と関連して使用される用語「実質的に含まない」又は「実質的に非存在下で」は、少なくとも85重量%又は90重量%、特定の実施態様において、95重量%、98重量%、99重量%、又は100重量%の明示された物品を含む物品を指す。例えば、ファルネセン組成物に関する用語「実質的に含まない」又は「実質的に非存在下で」は、少なくとも85重量%又は90重量%、特定の実施態様において、95重量%、98重量%、99重量%、又は100重量%のファルネセンの明示された異性体を含む溶媒組成物を指し得る。特定の実施態様において、本明細書に提供される方法、組成物、及び化合物において、該化合物は、明示されていない異性体を実質的に含まない。別の例において、小さな揮発性有機オキシジェネート化合物に関する用語「実質的に含まない」は、組成物の総重量に基づいて重量で、これらの化合物が0.01重量%未満である、又はGC-MS若しくはGC-FIDにより検出不可能である、組成物又は物品を指し得る。
【００４９】
同様に、ファルネセン組成物に関する用語「単離された」は、少なくとも85重量%、少なくとも90重量%、少なくとも95重量%、少なくとも98重量%、又は99重量%から100重量%の明示されたファルネセン異性体を含み、残りが他の化学種若しくは異性体、化合物、溶媒、及び/又は他の不純物を含むファルネセン組成物を指す。
【００５０】
以下の説明において、本明細書に開示される全ての数は、言葉「約」又は「およそ」が関連して使われているか否かにかかわらず、近似値である。数は、1%、2%、5%、又は10〜20%変わり得る。下限RL及び上限RUを有する数値範囲が開示されるときはいつでも、該範囲内にあるあらゆる数が具体的に開示される。特に、範囲内の以下の数Rkが具体的に開示される:Rk=RL+k×(RU-RL)、式中、kは、0.01の増分で0.01〜1の範囲の変数であり、すなわち、kは、0.01、0.02、0.03、0.04、0.05、…、0.5、0.51、0.52、…、0.95、0.96、0.97、0.98、0.99、又は1である。さらに、上記で定義された2つの数Rkにより定義されるあらゆる数値範囲も本明細書に具体的に開示される。
【００５１】
用語「溶媒」は、汚れ又は粒子などの別の物質が中で分散又は可溶化することができる流体マトリックス、例えば液体物質を指す。
【００５２】
用語「共溶媒」は、汚れ又は粒子を可溶化するのに一次溶媒と共に使用可能である追加の溶媒を指す。
【００５３】
用語「界面活性剤(surfactant)」又は「界面活性剤(surface active agent)」は、水又は水溶液に溶解した場合に表面張力を低下させるか、又は2種の液体の間、若しくは液体と固体の間の界面張力を低下させる物質を指す。
【００５４】
用語「洗剤」は、一般的に、水の表面張力を低下させる物質、具体的には、油-水界面に集まり、乳化作用を発揮し、それにより汚れの除去を助ける界面活性剤と定義される。洗剤は、例えば、従来の脂肪酸のナトリウム及びカリウム石鹸(例えば、アニオン性界面活性剤)、並びに合成洗剤を含み得る。
【００５５】
用語「乳化剤」は、組成物中の1種以上の他の成分が該組成物から相分離する傾向を低下させる成分を指す。乳化剤は、それぞれ、油(水中油型乳液の場合)及び水(油中水型乳液の場合)の小さなサイズの液滴への分散を促進し、分散した状態に粒子を維持するように助ける。
【００５６】
本明細書で使用される通り、用語「洗剤」及び「乳化剤」は、先に与えられた定義の意味における物質を指し、多くの異なる形態にある一種の界面活性剤としてもみなされ得る。
【００５７】
用語「ハイドロトロープ」は、製剤の水相に可溶性であり、該水相に界面活性剤を可溶化させるように機能する化合物を指す。
【００５８】
用語「軟化剤」は、基材(例えば、皮膚、髪、又は爪)を柔らかくし、被覆し、滑らかにし、又は潤いを与える物質である。用語軟化剤には、従来の脂質物質(例えば、脂肪、蝋)、極性脂質(より水溶性になるように修飾された脂質)、シリコーン、炭化水素、及び他の溶媒物質があるが、これらに限定されない。
【００５９】
用語「増粘剤」は、液体組成物に加えられると、該組成物の粘度を大幅に増加させる化合物を指す。
【００６０】
用語「担体」は、別の物質を支持する液体物質を指す。
【００６１】
用語「希釈剤」は、組成物に加えられて、それが加えられた組成物の粘稠度及び適用可能性を向上させる希釈性の作用物質を指す。
【００６２】
用語「洗浄製品」は、汚れ、粒子、又は異物を表面から除去するのに使用される液体、懸濁液、半液体、クリーム、ローション、半固体などのあらゆる好適な形態にある物質を指す。本明細書で使用される通り、洗浄製品は、脱脂剤、使用のために希釈される濃縮洗浄製品、あらゆる好適な表面を洗浄するための最終用途にすぐに使える洗浄製品を含み得る。本明細書で使用される通り、洗浄製品は、本明細書に記載される組成物、溶媒、脱脂剤、又は洗浄製品に含浸された又は事前に濡らされているワイプも含み得る。
【００６３】
用語「脱脂剤」は、固体表面から、油、油差し、溶接フラックス、水界面活性剤(water surfactants)、金属塩など、あらゆる種類の混在物を除去するための物質を指す。
【００６４】
用語「パーソナルケア製品」は、消費者に局所適用できる(例えば、皮膚、髪、又は爪)、液体、懸濁液、半液体、クリーム、ローション、半固体(semi-sold)、固体、含浸された基材など、あらゆる好適な形態にある物質を指す。
【００６５】
（組成物）
一態様において、部分的に水素化されたファルネセンを含む組成物が本明細書に提供される。特定の実施態様において、該組成物は、溶媒、例えば、脱脂剤として有用である。特定の実施態様において、該組成物は、溶媒として直接使用でき、或いは、他の実施態様において、1種以上の共溶媒又は他の成分/添加剤と組み合わせて使用できる。
【００６６】
本明細書に記載される実施態様のいずれにおいても、部分的に水素化されたファルネセンは、再生可能な源を利用して製造できる。例えば、本明細書に記載される実施態様のいずれか1つに使用されるファルネセンは、生体工学により作られた微生物を含む微生物から、再生可能な炭素源を利用して製造できる。特定の実施態様において、ファルネセンは、それぞれその全体として引用により本明細書に組み込まれる、米国特許第7,659,097 B2号、米国特許第7,399,323 B2号、米国特許第7,846,222 B2号、米国特許第8,257,957 B2号、又は国際特許公報第2007/139924 A2号に記載される遺伝子操作された微生物の細胞を利用して再生可能な炭素源から誘導できる。
【００６７】
特定の実施態様において、組成物は多量のジヒドロファルネセンを含む。ジヒドロファルネセンは、α-ファルネセン若しくはβ-ファルネセンに類似であり得るか、又はα-ファルネセン若しくはβ-ファルネセンから誘導できる。特定の実施態様において、ファルネセンはβ-ファルネセンである。ジヒドロファルネセンにおいて、どの二重結合も水素化され得る。好ましい実施態様において、水素化される二重結合は、上記に描かれたファルネセン分子の右側の共役二重結合の1つである(すなわちα若しくはγ二重結合、又は1若しくは3二重結合)。そのような実施態様において、共役は壊される。上記ファルネセン構造において、α-二重結合は、分子の右側に描かれている。
【００６８】
有用な実施態様において、ジヒドロファルネセンの量は、組成物に所望の溶解力を与えるのに充分である。特定の実施態様において、ジヒドロファルネセンの量は、組成物の約60重量%〜約100重量%である。特定の実施態様において、ジヒドロファルネセンの量は、該組成物中のファルネセンとファルネセン誘導体の総量に比べて、約60重量%〜約100重量%である。特定の実施態様において、ジヒドロファルネセンの量は、組成物の約65重量%〜約100重量%である。特定の実施態様において、ジヒドロファルネセンの量は、該組成物中のファルネセンとファルネセン誘導体の総量に比べて、約65重量%〜約100重量%である。特定の実施態様において、ジヒドロファルネセンの量は、組成物の約70重量%〜約100重量%である。特定の実施態様において、ジヒドロファルネセンの量は、該組成物中のファルネセンとファルネセン誘導体の総量に比べて、約70重量%〜約100重量%である。特定の実施態様において、ジヒドロファルネセンの量は、組成物の約75重量%〜約100重量%である。特定の実施態様において、ジヒドロファルネセンの量は、該組成物中のファルネセンとファルネセン誘導体の総量に比べて、約75重量%〜約100重量%である。特定の実施態様において、ジヒドロファルネセンの量は、組成物の約75重量%〜約90重量%である。特定の実施態様において、ジヒドロファルネセンの量は、該組成物中のファルネセンとファルネセン誘導体の総量に比べて、約75重量%〜約90重量%である。特定の実施態様において、ジヒドロファルネセンの量は、組成物の約77重量%〜約87重量%である。特定の実施態様において、ジヒドロファルネセンの量は、該組成物中のファルネセンとファルネセン誘導体の総量に比べて、約77重量%〜約87重量%である。特定の実施態様において、ジヒドロファルネセンの量は、組成物の約78重量%〜約85重量%である。特定の実施態様において、ジヒドロファルネセンの量は、該組成物中のファルネセンとファルネセン誘導体の総量に比べて、約78重量%〜約85重量%である。特定の実施態様において、ジヒドロファルネセンの量は、組成物の約79重量%〜約85重量%である。特定の実施態様において、ジヒドロファルネセンの量は、該組成物中のファルネセンとファルネセン誘導体の総量に比べて、約79重量%〜約85重量%である。特定の実施態様において、ジヒドロファルネセンの量は、組成物の約80重量%〜約85重量%である。特定の実施態様において、ジヒドロファルネセンの量は、該組成物中のファルネセンとファルネセン誘導体の総量に比べて、約80重量%〜約85重量%である。特定の実施態様において、ジヒドロファルネセンの量は、組成物の約81重量%〜約85重量%である。特定の実施態様において、ジヒドロファルネセンの量は、該組成物中のファルネセンとファルネセン誘導体の総量に比べて、約81重量%〜約85重量%である。特定の実施態様において、ジヒドロファルネセンの量は、組成物の約82重量%〜約85重量%である。特定の実施態様において、ジヒドロファルネセンの量は、該組成物中のファルネセンとファルネセン誘導体の総量に比べて、約82重量%〜約85重量%である。特定の実施態様において、ジヒドロファルネセンの量は、組成物の約83重量%〜約85重量%である。特定の実施態様において、ジヒドロファルネセンの量は、該組成物中のファルネセンと���ァルネセン誘導体の総量に比べて、約83重量%〜約85重量%である。特定の実施態様において、ジヒドロファルネセンの量は、組成物の約84重量%〜約85重量%である。特定の実施態様において、ジヒドロファルネセンの量は、該組成物中のファルネセンとファルネセン誘導体の総量に比べて、約84重量%〜約85重量%である。特定の実施態様において、ジヒドロファルネセンの量は、組成物の約78重量%〜約97重量%である。特定の実施態様において、ジヒドロファルネセンの量は、該組成物中のファルネセンとファルネセン誘導体の総量に比べて、約78重量%〜約97重量%である。特定の実施態様において、ジヒドロファルネセンの量は、組成物の約83重量%〜約97重量%である。特定の実施態様において、ジヒドロファルネセンの量は、該組成物中のファルネセンとファルネセン誘導体の総量に比べて、約83重量%〜約97重量%である。特定の実施態様において、ジヒドロファルネセンの量は、組成物の約96重量%である。特定の実施態様において、ジヒドロファルネセンの量は、該組成物中のファルネセンとファルネセン誘導体の総量に比べて、約96重量%である。
【００６９】
特定の実施態様において、ファルネセン含量の残りは、ほとんどテトラヒドロファルネセンである。テトラヒドロファルネセンは、区別が適切である場合、α-ファルネセン若しくはβ-ファルネセンに類似であり得るか、又はα-ファルネセン若しくはβ-ファルネセンから誘導され得る。特定の実施態様において、やはり区別が適切である場合、ファルネセンはβ-ファルネセンである。テトラヒドロファルネセンにおいて、任意の2つの二重結合が水素化され得る。好ましい実施態様において、少なくとも1つの水素化された二重結合は、上記で描かれたファルネセン分子の右側の共役二重結合の1つである(すなわち、α若しくはγ二重結合、又は1若しくは3二重結合)。そのような実施態様において、共役は壊される。上記のファルネセン構造において、α-二重結合は、分子の右側に描かれている。
【００７０】
特定の実施態様において、テトラヒドロファルネセンの量は、約35重量%〜約0重量%である。特定の実施態様において、テトラヒドロファルネセンの量は、該組成物中のファルネセンとファルネセン誘導体の総量に比べて、約35重量%〜約0重量%である。特定の実施態様において、テトラヒドロファルネセンの量は、約20重量%〜約14重量%である。特定の実施態様において、テトラヒドロファルネセンの量は、該組成物中のファルネセンとファルネセン誘導体の総量に比べて、約20重量%〜約14重量%である。特定の実施態様において、テトラヒドロファルネセンの量は、約19重量%〜約14重量%である。特定の実施態様において、テトラヒドロファルネセンの量は、該組成物中のファルネセンとファルネセン誘導体の総量に比べて、約19重量%〜約14重量%である。特定の実施態様において、テトラヒドロファルネセンの量は、約18重量%〜約14重量%である。特定の実施態様において、テトラヒドロファルネセンの量は、該組成物中のファルネセンとファルネセン誘導体の総量に比べて、約18重量%〜約14重量%である。特定の実施態様において、テトラヒドロファルネセンの量は、約17重量%〜約14重量%である。特定の実施態様において、テトラヒドロファルネセンの量は、該組成物中のファルネセンとファルネセン誘導体の総量に比べて、約17重量%〜約14重量%である。特定の実施態様において、テトラヒドロファルネセンの量は、約16重量%〜約14重量%である。特定の実施態様において、テトラヒドロファルネセンの量は、該組成物中のファルネセンとファルネセン誘導体の総量に比べて、約16重量%〜約14重量%である。特定の実施態様において、テトラヒドロファルネセンの量は、約15重量%〜約14重量%である。特定の実施態様において、テトラヒドロファルネセンの量は、該組成物中のファルネセンとファルネセン誘導体の総量に比べて、約15重量%〜約14重量%である。特定の実施態様において、テトラヒドロファルネセンの量は、約20重量%〜約2重量%である。特定の実施態様において、テトラヒドロファルネセンの量は、該組成物中のファルネセンとファルネセン誘導体の総量に比べて、約20重量%〜約2重量%である。特定の実施態様において、テトラヒドロファルネセンの量は、約16重量%〜約2重量%である。特定の実施態様において、テトラヒドロファルネセンの量は、該組成物中のファルネセンとファルネセン誘導体の総量に比べて、約16重量%〜約2重量%である。特定の実施態様において、テトラヒドロファルネセンの量は、約3重量%である。特定の実施態様において、テトラヒドロファルネセンの量は、該組成物中のファルネセンとファルネセン誘導体の総量に比べて、約3重量%である。当業者は、テトラヒドロファルネセンの量が、ジヒドロファルネセンとテトラヒドロファルネセンの合計が100%以下であるように選択されることを認識するだろう。
【００７１】
特定の実施態様において、組成物は、多量のジヒドロファルネセンとテトラヒドロファルネセンを合わせて含む。有用な実施態様において、ジヒドロファルネセンとテトラヒドロファルネセンの総量は、組成物に所望の溶解力を与えるのに充分である。特定の実施態様において、ジヒドロファルネセンとテトラヒドロファルネセンの総量は、約60重量%〜約100重量%である。特定の実施態様において、ジヒドロファルネセンとテトラヒドロファルネセンの総量は、該組成物中のファルネセンとファルネセン誘導体の総量に比べて、約60重量%〜約100重量%である。特定の実施態様において、ジヒドロファルネセンとテトラヒドロファルネセンの総量は、約65重量%〜約100重量%である。特定の実施態様において、ジヒドロファルネセンとテトラヒドロファルネセンの総量は、該組成物中のファルネセンとファルネセン誘導体の総量に比べて、約65重量%〜約100重量%である。特定の実施態様において、ジヒドロファルネセンとテトラヒドロファルネセンの総量は、約70重量%〜約100重量%である。特定の実施態様において、ジヒドロファルネセンとテトラヒドロファルネセンの総量は、該組成物中のファルネセンとファルネセン誘導体の総量に比べて、約70重量%〜約100重量%である。特定の実施態様において、ジヒドロファルネセンとテトラヒドロファルネセンの総量は、約75重量%〜約100重量%である。特定の実施態様において、ジヒドロファルネセンとテトラヒドロファルネセンの総量は、該組成物中のファルネセンとファルネセン誘導体の総量に比べて、約75重量%〜約100重量%である。特定の実施態様において、ジヒドロファルネセンとテトラヒドロファルネセンの総量は、約75重量%〜約90重量%である。特定の実施態様において、ジヒドロファルネセンとテトラヒドロファルネセンの総量は、該組成物中のファルネセンとファルネセン誘導体の総量に比べて、約75重量%〜約90重量%である。特定の実施態様において、ジヒドロファルネセンとテトラヒドロファルネセンの総量は、約77重量%〜約87重量%である。特定の実施態様において、ジヒドロファルネセンとテトラヒドロファルネセンの総量は、該組成物中のファルネセンとファルネセン誘導体の総量に比べて、約77重量%〜約87重量%である。特定の実施態様において、ジヒドロファルネセンとテトラヒドロファルネセンの総量は、約78重量%〜約85重量%である。特定の実施態様において、ジヒドロファルネセンとテトラヒドロファルネセンの総量は、該組成物中のファルネセンとファルネセン誘導体の総量に比べて、約78重量%〜約85重量%である。特定の実施態様において、ジヒドロファルネセンとテトラヒドロファルネセンの総量は、約79重量%〜約85重量%である。特定の実施態様において、ジヒドロファルネセンとテトラヒドロファルネセンの総量は、該組成物中のファルネセンとファルネセン誘導体の総量に比べて、約79重量%〜約85重量%である。特定の実施態様において、ジヒドロファルネセンとテトラヒドロファルネセンの総量は、約80重量%〜約85重量%である。特定の実施態様において、ジヒドロファルネセンとテトラヒドロファルネセンの総量は、該組成物中のファルネセンとファルネセン誘導体の総量に比べて、約80重量%〜約85重量%である。特定の実施態様において、ジヒドロファルネセンとテト���ヒドロファルネセンの総量は、約81重量%〜約85重量%である。特定の実施態様において、ジヒドロファルネセンとテトラヒドロファルネセンの総量は、該組成物中のファルネセンとファルネセン誘導体の総量に比べて、約81重量%〜約85重量%である。特定の実施態様において、ジヒドロファルネセンとテトラヒドロファルネセンの総量は、約82重量%〜約85重量%である。特定の実施態様において、ジヒドロファルネセンとテトラヒドロファルネセンの総量は、該組成物中のファルネセンとファルネセン誘導体の総量に比べて、約82重量%〜約85重量%である。特定の実施態様において、ジヒドロファルネセンとテトラヒドロファルネセンの総量は、約83重量%〜約85重量%である。特定の実施態様において、ジヒドロファルネセンとテトラヒドロファルネセンの総量は、該組成物中のファルネセンとファルネセン誘導体の総量に比べて、約83重量%〜約85重量%である。特定の実施態様において、ジヒドロファルネセンとテトラヒドロファルネセンの総量は、約84重量%〜約85重量%である。特定の実施態様において、ジヒドロファルネセンとテトラヒドロファルネセンの総量は、該組成物中のファルネセンとファルネセン誘導体の総量に比べて、約84重量%〜約85重量%である。特定の実施態様において、ジヒドロファルネセンとテトラヒドロファルネセンの総量は、約97重量%〜約100重量%である。特定の実施態様において、ジヒドロファルネセンとテトラヒドロファルネセンの総量は、該組成物中のファルネセンとファルネセン誘導体の総量に比べて、約97重量%〜約100重量%である。特定の実施態様において、ジヒドロファルネセンとテトラヒドロファルネセンの総量は、約98重量%〜約100重量%である。特定の実施態様において、ジヒドロファルネセンとテトラヒドロファルネセンの総量は、該組成物中のファルネセンとファルネセン誘導体の総量に比べて、約98重量%〜約100重量%である。特定の実施態様において、ジヒドロファルネセンとテトラヒドロファルネセンの総量は、約99.0重量%〜約99.7重量%である。特定の実施態様において、ジヒドロファルネセンとテトラヒドロファルネセンの総量は、該組成物中のファルネセンとファルネセン誘導体の総量に比べて、約99.0重量%〜約99.7重量%である。
【００７２】
組成物は、ヘキサヒドロファルネセンをさらに含み得る。特定の実施態様において、ヘキサヒドロファルネセンの量は、組成物の約0.1重量%〜約2重量%である。特定の実施態様において、ヘキサヒドロファルネセンの量は、該組成物中のファルネセンとファルネセン誘導体の総量に比べて、約0.1重量%〜約2重量%である。特定の実施態様において、ヘキサヒドロファルネセンの量は、組成物の約0.1重量%〜約1.75重量%である。特定の実施態様において、ヘキサヒドロファルネセンの量は、該組成物中のファルネセンとファルネセン誘導体の総量に比べて、約0.1重量%〜約1.75重量%である。特定の実施態様において、ヘキサヒドロファルネセンの量は、組成物の約0.1重量%〜約1.5重量%である。特定の実施態様において、ヘキサヒドロファルネセンの量は、該組成物中のファルネセンとファルネセン誘導体の総量に比べて、約0.1重量%〜約1.5重量%である。特定の実施態様において、ヘキサヒドロファルネセンの量は、組成物の約0.1重量%〜約1.25重量%である。特定の実施態様において、ヘキサヒドロファルネセンの量は、該組成物中のファルネセンとファルネセン誘導体の総量に比べて、約0.1重量%〜約1.25重量%である。特定の実施態様において、ヘキサヒドロファルネセンの量は、組成物の約0.1重量%〜約1.0重量%である。特定の実施態様において、ヘキサヒドロファルネセンの量は、該組成物中のファルネセンとファルネセン誘導体の総量に比べて、約0.1重量%〜約1.0重量%である。特定の実施態様において、ヘキサヒドロファルネセンの量は、組成物の約0.1重量%〜約0.75重量%である。特定の実施態様において、ヘキサヒドロファルネセンの量は、該組成物中のファルネセンとファルネセン誘導体の総量に比べて、約0.1重量%〜約0.75重量%である。特定の実施態様において、ヘキサヒドロファルネセンの量は、組成物の約0.1重量%〜約0.5重量%である。特定の実施態様において、ヘキサヒドロファルネセンの量は、該組成物中のファルネセンとファルネセン誘導体の総量に比べて、約0.1重量%〜約0.5重量%である。特定の実施態様において、ヘキサヒドロファルネセンの量は、組成物の約0.1重量%〜約0.4重量%である。特定の実施態様において、ヘキサヒドロファルネセンの量は、該組成物中のファルネセンとファルネセン誘導体の総量に比べて、約0.1重量%〜約0.4重量%である。特定の実施態様において、ヘキサヒドロファルネセンの量は、組成物の約0.1重量%〜約0.3重量%である。特定の実施態様において、ヘキサヒドロファルネセンの量は、該組成物中のファルネセンとファルネセン誘導体の総量に比べて、約0.1重量%〜約0.3重量%である。特定の実施態様において、ヘキサヒドロファルネセンの量は、組成物の約0重量%(本明細書に記載される検出方法により検出されない)であり、そのためヘキサヒドロファルネセンを実質的に含まない。特定の実施態様において、ヘキサヒドロファルネセンの量は、該組成物中のファルネセンとファルネセン誘導体の総量に比べて、約0重量%である。当業者は、ヘキサヒドロファルネセンの量が、ジヒドロファルネセンと、テトラヒドロファルネセンと、ヘキサヒドロファルネセンとの総量が約100%以下であるように選択されることを認識するだろう。
【００７３】
ヘキサヒドロファルネセンは、区別が適切である場合、α-ファルネセン若しくはβ-ファルネセンに類似であり得るか、又はα-ファルネセン若しくはβ-ファルネセンから誘導され得る。特定の実施態様において、やはり区別が適切である場合、ファルネセンはβ-ファルネセンである。ヘキサヒドロファルネセンにおいて、任意の3つの二重結合が水素化され得る。特定の実施態様において、少なくともα-二重結合が水素化されている。上記のファルネセン構造において、α-二重結合は分子の右側に描かれている。
【００７４】
組成物は、ファルネサンをさらに含み得る。好ましい実施態様において、ファルネサンは少量存在する。特定の実施態様において、ファルネサンの量は、組成物の約0重量%〜約10重量%である。特定の実施態様において、ファルネサンの量は、該組成物中のファルネセンとファルネセン誘導体の総量に比べて、約0重量%〜約10重量%である。特定の実施態様において、ファルネサンの量は、組成物の約0重量%〜約7.5重量%である。特定の実施態様において、ファルネサンの量は、該組成物中のファルネセンとファルネセン誘導体の総量に比べて、約0重量%〜約7.5重量%である。特定の実施態様において、ファルネサンの量は、組成物の約0重量%〜約5重量%である。特定の実施態様において、ファルネサンの量は、該組成物中のファルネセンとファルネセン誘導体の総量に比べて、約0重量%〜約5重量%である。特定の実施態様において、ファルネサンの量は、組成物の約0重量%〜約2.5重量%である。特定の実施態様において、ファルネサンの量は、該組成物中のファルネセンとファルネセン誘導体の総量に比べて、約0重量%〜約2.5重量%である。特定の実施態様において、ファルネサンの量は、組成物の約0重量%〜約2重量%である。特定の実施態様において、ファルネサンの量は、該組成物中のファルネセンとファルネセン誘導体の総量に比べて、約0重量%〜約2重量%である。特定の実施態様において、ファルネサンの量は、組成物の約0重量%〜約1重量%である。特定の実施態様において、ファルネサンの量は、該組成物中のファルネセンとファルネセン誘導体の総量に比べて、約0重量%〜約1重量%である。特定の実施態様において、ファルネサンの量は、組成物の約0重量%〜約0.5重量%である。特定の実施態様において、ファルネサンの量は、該組成物中のファルネセンとファルネセン誘導体の総量に比べて、約0重量%〜約0.5重量%である。特定の実施態様において、ファルネサンの量は、組成物の約0重量%〜約0.2重量%である。特定の実施態様において、ファルネサンの量は、該組成物中のファルネセンとファルネセン誘導体の総量に比べて、約0重量%〜約0.2重量%である。特定の実施態様において、ファルネサンの量は、組成物の約0重量%〜約0.1重量%である。特定の実施態様において、ファルネサンの量は、該組成物中のファルネセンとファルネセン誘導体の総量に比べて、約0重量%〜約0.1重量%である。特定の実施態様において、組成物は、ファルネサンを実質的に含まない。
【００７５】
組成物は、ビサボレン/ファルネセンをさらに含み得る。好ましい実施態様において、ビサボレン/ファルネセンの量は、少量である。特定の実施態様において、ビサボレン/ファルネセンの量は、組成物の0重量%〜0.5重量%である。特定の実施態様において、ビサボレン/ファルネセンの量は、該組成物中のファルネセンとファルネセン誘導体の総量に比べて、0重量%〜0.5重量%である。特定の実施態様において、ビサボレン/ファルネセンの量は、組成物の0重量%〜0.4重量%である。特定の実施態様において、ビサボレン/ファルネセンの量は、該組成物中のファルネセンとファルネセン誘導体の総量に比べて、0重量%〜0.4重量%である。特定の実施態様において、ビサボレン/ファルネセンの量は、組成物の0重量%〜0.3重量%である。特定の実施態様において、ビサボレン/ファルネセンの量は、該組成物中のファルネセンとファルネセン誘導体の総量に比べて、0重量%〜0.3重量%である。特定の実施態様において、ビサボレン/ファルネセンの量は、組成物の0重量%〜0.2重量%である。特定の実施態様において、ビサボレン/ファルネセンの量は、該組成物中のファルネセンとファルネセン誘導体の総量に比べて、0重量%〜0.2重量%である。特定の実施態様において、ビサボレン/ファルネセンの量は、組成物の0重量%〜0.1重量%である。特定の実施態様において、ビサボレン/ファルネセンの量は、該組成物中のファルネセンとファルネセン誘導体の総量に比べて、0重量%〜0.1重量%である。特定の実施態様において、組成物は、ビサボレン/ファルネセンを実質的に含まない。
【００７６】
上記実施態様において、重量%は、当業者に明らかな任意の技法により測定される。特定の実施態様において、重量%は、質量分析法により、ガスクロマトグラフィー-質量分析法(GC-MS)により、又はガスクロマトグラフィー-水素炎イオン化型検出(GC-FID)により測定される。いくつかの実施態様において、重量%は組成物全体のものである。いくつかの実施態様において、重量%は、組成物中のファルネセンとファルネセン誘導体の総量に対するものである。ファルネセン誘導体は、ジヒドロファルネセン、テトラヒドロファルネセン、ヘキサヒドロファルネセン、ファルネサン、及びこれらのマルチマー(ホモマルチマー及びヘテロマルチマーを含む)、並びにファルネセンのマルチマーを含む。好ましい実施態様において、組成物は、0.5重量%未満のマルチマーを含む。組成物は、ファルネセン及び/又はファルネサンの反応性誘導体をさらに含み得る。これらは、酸化性誘導体、ファルネソールなどのヒドロキシル誘導体、エポキシ誘導体、並びに当業者により認識されるファルネセン及び/又はファルネサンの他の誘導体を含む。好ましい実施態様において、これらの反応性誘導体は、組成物の1.5重量%未満を構成する。
【００７７】
特定の実施態様において、ファルネセン及びファルネセン誘導体は、該組成物中のファルネセン及びファルネセン誘導体の1分子あたり、平均で、約1.0〜約1.4個の二重結合を含む。言い換えると、組成物中のファルネセン及びファルネセン誘導体分子の二重結合の総数と、組成物中のファルネセン及びファルネセン誘導体分子の総数との比は、約1.0〜約1.4である。特定の実施態様において、ファルネセン及びファルネセン誘導体は、該組成物中のファルネセン及びファルネセン誘導体の1分子あたり、平均で、約1.0〜約1.3個の二重結合を含む。特定の実施態様において、ファルネセン及びファルネセン誘導体は、該組成物中のファルネセン及びファルネセン誘導体の1分子あたり、平均で、約1.0〜約1.2個の二重結合を含む。特定の実施態様において、ファルネセン及びファルネセン誘導体は、該組成物中のファルネセン及びファルネセン誘導体の1分子あたり、平均で、約1.04〜約1.16個の二重結合を含む。
【００７８】
有利なことに、特定の実施態様において、組成物は、長期にわたる酸化安定性を提供する。特定の実施態様において、25℃で少なくとも100週で99%を超える酸化安定性を有する本明細書に記載される組成物が提供される。さらなる実施態様において、組成物は長期にわたるpH安定性を提供する。特定の実施態様において、25℃で30分にわたりpH 4で99%を超えるpH安定性を有する本明細書に記載される組成物が提供される。特定の実施態様において、25℃で30分にわたりpH 1で99%を超えるpH安定性を有する本明細書に記載される組成物が提供される。特定の実施態様において、25℃で30分にわたりpH 13で99%を超えるpH安定性を有する本明細書に記載される組成物が提供される。特定の実施態様において、約2.0に等しいδH及び約1.0に等しいδPのハンセン溶解度パラメーターを有する本明細書に記載される組成物が提供される。
【００７９】
（組成物の製造）
本明細書に提供される組成物は、当業者に明らかな任意の方法により製造、単離、又は得ることができる。ファルネセンを製造する有用な方法は、それぞれその全体が引用により本明細書に組み込まれる米国特許第7,659,097 B2号、米国特許第7,399,323 B2号、米国特許第7,846,222 B2号、米国特許第8,257,957 B2号、又は国際特許公開第2007/139924 A2号に記載されている。ファルネセンを部分的に水素化する有用な方法は、それぞれその全体が引用により本明細書に組み込まれる米国特許第8,519,204 B2号及び国際特許公開第2012/141784 A1号に記載されている。ファルネセンを部分的に水素化する他の方法は当業者に明らかである。
【００８０】
いくつかの実施態様において、方法は、制御された量の水素を、触媒の存在下制御された反応条件下でファルネセンと反応させて、β-ファルネセンなどの部分的に水素化されたファルネセンを製造することを含む。制御された量の水素は、オレフィン中の所望の程度の水素化のモル当量に相当する。例えば、75%水素化されたオレフィンをファルネセンから製造するには、制御された量の水素は約3モル当量の水素だろう。別の例において、25%水素化されたオレフィンをファルネセンから製造するには、制御された量の水素は約1モル当量の水素だろう。いくつかの実施態様において、ファルネセンの少なくとも一部は、再生可能な炭素源を利用して、生体工学により作られた微生物により製造される。いくつかの実施態様において、複数のファルネセンは、再生可能な炭素源を利用して、生体工学により作られた微生物により製造される。いくつかの実施態様において、大多数のファルネセンは、再生可能な炭素源を利用して、生体工学により作られた微生物により製造される。
【００８１】
部分的な水素化により製造される種(例えば、ジヒドロファルネセン、テトラヒドロファルネセン、ヘキサヒドロファルネセン、ファルネセン、及びファルネサン)の分布は、触媒の種類、活性、及び装入量、触媒状態(例えば、温度、圧力、反応時間、制御された水素送達)、並びに出発物質(例えば、ファルネセン中の不純物)の選択により制御できる。これらのパラメーターを制御することにより、総ファルネセン/ファルネサン(例えば、ファルネセンとファルネセン誘導体との総量)に比べて、種々の比率のジヒドロファルネセン及びテトラヒドロファルネセンを含む組成物を製造できる。
【００８２】
本明細書に記載される方法のために、どの好適な水素化触媒も使用できる。例えば、いくつかの変形において、触媒は、Pd、Pt、Ni、Ru、Ir、Cu、Fe、ラネータイプの多孔性触媒、例えば、Ni/Al、Co/Al及びCu/Alなど、白金族触媒とMo、Co、Mg及びZnなどの促進剤又は安定剤との合金、並びにNiMoS及びCoMoSなどの水素化処理触媒からなる群から選択される。典型的な触媒は、それぞれその全体が引用により本明細書に組み込まれる米国特許第6,403,844 B1号;同第5,378,767 A号;同第5,151,172 A号;及び同第3,702,348 A号に記載されている。いくつかの変形において、触媒は、Pd/C、例えば、5重量%Pd/C又は10重量%Pd/Cであるか、又はそれを含む。いくつかの変形において、触媒は、Pd/Al2O3、例えば、0.3重量%Pd/Al2O3であるか、又はそれを含む。いくつかの変形において、触媒は、リンドラー触媒、例えば、炭酸カルシウム又は炭酸バリウム上にあり鉛(例えば、酸化鉛又は酢酸鉛)により処理されたPdであるか、又はそれを含む。例えば、Pd/Pb/BaCO3を含むリンドラー触媒を利用できる。いくつかの変形において、触媒は、Ni、例えば、ラネーニッケル、スポンジニッケル、又は骨格ニッケル(skeletal nickel)であるか、又はそれを含む。いくつかの変形において、Al2O3により担持されたニッケル触媒、例えば、約20%、12%又は8%Ni/Al2O3が使用される。いくつかの変形において、触媒は硫化ニッケルを含む。いくつかの変形において、触媒は、例えば、引用により全体として本明細書に組み込まれている米国特許第2,674,632 A号に開示される通り、アルミナ、例えば、1グラム当たり約300平方メートル以上の表面積を有する活性化アルミナ、又はシリカゲル、活性炭、酸処理粘土、シリカ-アルミナ錯体に担持された硫化モリブデン、例えば、硫黄とモリブデンとの比が2対1である硫化モリブデン触媒、例えば、MoS2を含む。
【００８３】
触媒は、例えば、少なくとも約1mmの最低寸法を有する、任意の好適な形態で提供できる。粒子寸法は、触媒種類及び触媒作用条件(例えば、スラリーバッチ、固定床、流動床、又は連続流通反応器)により選択できる。触媒は、明示された表面積を持ち、本明細書に記載されるファルネセン分子などの部分的に水素化された炭化水素テルペン種の所望の分布をもたらすように選択することができ、例えば、円柱、小片、顆粒、球体、丸い突出部のある円柱(lobed cylinders)などの任意の好適な形状因子（form factor）で形成することができる。特定の変形において、触媒は、例えば、流路、通路、又は穴の形態で、空隙を含む。いくつかの変形において、触媒は、押出物、例えば、丸い突出部のある押出物(例えば、三つ葉型押出物)など、所望の断面形状を有する押出物を含む。いくつかの変形において、触媒は、Pd/Al2O3、例えば、0.3重量%Pd/Al2O3三つ葉型押出物であるか、又はそれを含む。
【００８４】
触媒は担体と共に使用できる。例えば、炭素、シリカ、チタニア、ジルコニア、アルミナ、珪藻土、マグネシア、アルミン酸カルシウムセメント、及び他の無機材料などの任意の好適な担体を使用できる。いくつかの場合において、担体は活性化されている。例えば、塩基処理された担体又はMgOなどの安定化添加剤により処理された担体など、そのような担体の修飾された異形を使用できる。担体は、約0.1〜5mm、0.5〜5mm、1〜5mm、1〜4mm、又は1〜3mm程度の寸法で、任意の好適な形状因子(例えば、ペレット又は押出物)を有し得る。
【００８５】
水素化触媒は、任意の効果的な装入量で使用できる。いくつかの変形において(例えば、5重量%Pd/C又は10重量%Pd/C)、有効な触媒装入量は、1/1000、2/1000、3/1000、4/1000、又は5/1000だろう。例えば、いくつかの変形において、β-ファルネセンは、5重量%Pd/Cを1/1000、2/1000、3/1000、4/1000、又は5/1000の装入量で使用して部分的に水素化され得る。
【００８６】
部分的な水素化プロセスの間、水素化の程度及び位置選択性を制御するように、制御された量の水素を制御された反応条件下で送達することが望ましい。そのような制御された水素化は、種々の方法で、種々の装置構造を利用して実施できる。例えば、試料による連続的な水素取込みは、流量計、積算流量計などを使用して制御及び/又は測定でき、或いは、水素は個別又は量子化されたモルアリコートで、例えば、ファルネセンの1モルあたり0.25、0.5、又は1モルH2の個別のアリコートで試料に送達できる。いくつかの変形において、バッチスラリー水素化反応器が使用される。いくつかの変形において、固定床反応器が部分的な水素化に使用される。いくつかの変形において、流動床反応器が部分的な水素化に使用される。
【００８７】
水素化の温度は、反応速度を制御するように選択でき、それは、いくつかの状況において、水素化の位置選択性を増大させる。特定の変形において、好適な水素化温度は、約50℃〜約150℃の範囲、例えば、約50℃、60℃、70℃、80℃、90℃、100℃、110℃、120℃、130℃、140℃、又は150℃である。いくつかの変形において、反応は約80℃で実施される。いくつかの変形において、反応は約100℃で実施される。いくつかの変形において、反応は、発熱反応が充分な熱を発生させる場合初期の段階の間では少なくとも部分的に自己加熱性であり、後の段階で外部の熱が加えられる。いくつかの変形において、発熱性の水素化プロセスの温度を、選択された水素化温度以下に保つために反応器が冷却される。
【００８８】
利用される水素圧力は、約50psig(約0.34MPaG)〜1000psig(6.89MPaG)の範囲、例えば、約50、75、100、125、150、175、200、225、250、275、300、325、350、375、400、425、450、475、500、525、550、575、600、625、650、675、700、725、750、775、800、825、850、875、900、925、950、975、又は1000psig(約0.34、0.52、0.69、0.86、1.03、1.21、1.38、1.55、1.72、1.89、2.07、2.24、2.41、2.58、2.76、2.93、3.10、3.27、3.45、3.62、3.79、3.96、4.13、4.31、4.48、4.65、4.82、5.00、5.17、5.34、5.51、5.68、5.86、6.03、6.20、6.37、6.55、6.72、又は6.89MPaG)である。
【００８９】
ファルネセンを部分的に水素化する一方法は、触媒を液体ファルネセンに浸して、スラリーを形成すること及び閉鎖された反応器中で制御された量の水素を該スラリーに送達することを含むが、ここで制御された量の水素は所望の水素化程度のモル当量に相当する。該方法は、制御された量の水素が実質的に消費されるまで約50℃〜150℃の温度でファルネセンを水素化すること、及び水素化されたファルネセンから触媒を除くことを含む。例えば、β-ファルネセンの場合、閉鎖された反応器中で該スラリーに送達される水素の1モル当量は25%水素化に相当し、閉鎖された反応器中で該スラリーに送達される水素の2モル当量は50%水素化に相当し、3モル当量は75%水素化に相当する。制御された量の水素は、1つ以上の個別のアリコートで、又は連続的な流れとして、スラリーに送達され得る。
【００９０】
一変形において、モル当量の水素は、閉鎖された反応器中で、例えば、各アリコートが反応器中で炭化水素ファルネセンの1モルあたり約0.5モル H2に相当する個別のアリコートで、50〜1000psigの圧力で、スラリーに送達される(例えば、約1〜5g/kg炭化水素ファルネセン又は約3〜5g/kgファルネセンの装入量の5重量%Pd/C(パラジウムカーボン))。各アリコート(又は、アリコートのペア)が反応器に送達された後、水素化反応を、水素が実質的に消費されるまで進行させる。より大規模な水素化が望まれる場合、別のアリコート(又はアリコートのペア)が反応器に送達され、水素が実質的に消費されるまで進行されるなどである。反応の後、公知の技法を利用して、触媒を部分的に水素化されたファルネセンから除去できる。
【００９１】
別の変形において、ファルネセンを部分的に水素化する方法は、5%Pd/C触媒を、0.025〜0.1%(w/w)で液体ファルネセンに浸して、スラリーを形成すること及び閉鎖した反応器中で制御された量の水素を該スラリーに送達することを含むが、ここで、制御された量の水素は、上述の所望の水素化程度のモル当量に相当する。一実施態様において、水素化の初期段階の間のポリマー形成を最低限にするために、反応を、約100〜120℃及び約75〜150psig(約0.52〜1.03MPaG)のH2で、制御された量の水素が実質的に消費されるまで実施できる。制御された量の水素は、1つ以上の個別のアリコートで、又は連続的な流れとしてスラリーに送達され得る。次いで、公知の技法を利用して、触媒を水素化されたファルネセンから除去できる。
【００９２】
特定の実施態様において、本組成物を濾過して、臭い及び原材料に存在し得る残存抗オキシダント安定剤(例えば、4-tert-ブチルカテコール、「TBC」とも称される)を除去できる。一実施態様において、本組成物を製造する方法は、ファルネセンを水素化することにより製造された部分的に水素化されたファルネセン組成物を、アルミナ及び/又はシリカなどの固体の吸着剤と接触させることを含み得る。別の実施態様において、出発物質(すなわち、ファルネセンを含む組成物)を水素化触媒と接触させる前に、出発物質を濾過して、有機酸及び他のオキシジェネートを除去して、水素化プロセスをより効率的にすることができる。いくつかの実施態様において、本組成物は、水素化プロセスの前と後の両方で吸着剤を利用して処理できる。
【００９３】
吸着剤濾過プロセスは、任意の好適な方法を利用して実施できる。例えば、吸着剤が真空の存在下又は非存在下で加熱されるカラムプロセスを利用できる。加熱プロセスは、固体吸着剤から残存する水を追い出し、活性化されたバージョンの吸着剤(すなわち、より高い程度の吸着活性部位)を与える。吸着剤を冷却した後、ファルネセン又は部分的に水素化されたファルネセン組成物をカラムに通して、それにより臭いが減少し、検出可能なレベルのTBCがない材料を製造できる。別の例において、ファルネセン又は部分的に水素化されたファルネセン組成物を、約0.5〜約5%(w/w)の活性化されていない固体吸着剤に加え、バッチ反応器中で約1〜12時間の期間激しく撹拌できる。小さい揮発性の有機オキシジェネート化合物を除いた後、後処理された部分的に水素化されたファルネセン組成物は、一般的に、減少した臭いを示し、検出可能なレベルのTBCを全く示さない。
【００９４】
特定の実施態様において、本明細書に開示される組成物は、組成物中の臭いの原因となり得る小さい揮発性の有機オキシジェネート化合物(例えば、アルコール、酸、アルデヒド、6-メチル-5-ペンテン-2-オンなど)を含まないか、又は実質的に含まない。これらの不純物は、典型的にはC4〜C10化合物である。C4〜C10の揮発性有機オキシジェネート化合物は、一般的に、吸着剤による濾過の前に、GCクロマトグラフにおいて早い保持時間で検出される。これらのオキシジェネート化合物は、典型的には、組成物の総重量に対して約0.01重量%〜約0.1重量%(例えば、0.031面積%)の量(重量%又は面積%)で検出される。しかし、部分的に水素化されたファルネセン組成物を吸着剤により濾過した後、これらのオキシジェネート化合物は、一般的に、GCクロマトグラフィーにおいて検出されない(例えば、0.0面積%)。
【００９５】
特定の実施態様において、本明細書に開示される組成物は、TBCを含まないか、又は実質的に含まない。いくつかの実施態様において、TBCは、わずか10ppm以下の濃度ではあるが、GC又は液体クロマトグラフィーにより検出可能である(例えば、0.01ppm、0.1ppm、1ppmを超えるなど)。水、アルコール、又は他の成分を含む最終製品中での多量のTBCの存在(例えば、40ppm以上)は、色(例えば、水中で青色及びアルコール中で桃色)を付与することがあり、いくつかの用途では望ましくないことがある。特定の実施態様において、TBCは濾過され、他の小さい揮発性の有機オキシジェネートと共に本明細書に開示される組成物から除去される。
【００９６】
特定の実施態様において、吸着剤濾過プロセスの後で、安定剤を抗オキシダントとして加えて、本明細書に記載される部分的に水素化された組成物を安定化できる。任意の好適な安定剤には、酸化されるとき組成物の色を変えないものがある。いくつかの実施態様において、酸化されるとき、キノンを形成しない好適な安定剤。ヒドロキノンなどの安定剤は、組成物中の水、アルコール、又は他の成分と反応して、目に見える色を付与することがあるが、これは最終製品において一般的に望ましくない。特定の実施態様において、ブチル化ヒドロキシトルエン(BHT)が安定剤として使用され得る。
【００９７】
任意の好適な量の安定剤が本組成物に加えられ得る。いくつかの実施態様において、安定剤は、部分的に水素化されたファルネセン組成物中に、約10ppm〜約1,000ppm、典型的には約100ppm〜約500ppm、より典型的には約100ppmの濃度で存在し得る。いくつかの実施態様において、最終製品(例えば、溶媒、洗浄製品、脱脂剤、パーソナルケア製品)は、一般的に、約100ppm以下の濃度で安定剤を含む。
【００９８】
（使用方法及び混合物）
特定の実施態様において、組成物及び組成物混合物を使用する方法が本明細書に提供される。その有利な溶解力のため、本明細書に提供される組成物は、溶媒、洗浄製品、脱脂剤、金属洗浄剤、パーソナルケア製品などの種々の消費者向け製品及び工業製品として、並びに他の最終用途のために有用である。組成物は、当業者により好適であるとみなされる任意の方法で使用できる。特定の実施態様において、洗浄の方法が提供される。該方法は、基材を、充分な量の本明細書に提供される組成物及び/又は製品と接触させて、該基材を洗浄する工程を含む。特定の実施態様において、脱脂の方法が提供される。該方法は、基材を、充分な量の本明細書に提供される組成物及び/又は製品と接触させて、該基材を脱脂する工程を含む。有用な基材には、家庭用及び商業用表面、皮膚、手、床、壁、エンジン、衣類、オーブン、自動車、自動車内装、金属、金属部品、及び当業者により好適であるとみなされるあらゆる他の基材があるが、これらに限定されない。
【００９９】
特定の実施態様において、皮膚、髪、又は爪を処理又はコンディショニングする方法が提供される。該方法は、皮膚、髪、爪、又は任意の他の好適な基材に、充分な量の本明細書に提供される組成物及び/又は製品を適用して、皮膚、髪、若しくは爪の外見及び/又は他の性質を向上させる工程を含む。
【０１００】
特定の実施態様において、組成物は、それ自体で本明細書に記載される方法に有用である。他の実施態様において、組成物は1種以上の追加成分と混合されて、溶媒、脱脂剤、一般洗浄製品、金属洗浄製品、パーソナルケア製品などを製造し得る。特定の実施態様において、組成物は、1種以上の共溶媒若しくは界面活性剤、又は両方と混合される。特定の実施態様において、組成物は、共溶媒、界面活性剤、水、乳化剤、軟化剤、増粘剤、又はこれらの混合物などの少なくとも1種の追加成分と混合される。
【０１０１】
特定の実施態様において、組成物は、当業者に公知である添加剤をさらに含み得る。有用な添加剤には、離層（delaminates）、緩衝剤、pH制御剤、芳香剤、香料、香味料、消泡剤、染料、漂白剤、増白剤、可溶化物質、安定剤、増粘剤、腐食防止剤、ローション、鉱油、酵素、曇点調節剤、保存剤、イオン交換体、キレート剤、起泡制御剤、汚れ除去剤、柔軟剤、乳白剤、不活性な希釈剤、灰色化阻害剤、安定剤、ポリマー、研磨剤、角質除去剤など、及びこれらの組み合わせがあるが、これらに限定されない。
【０１０２】
特定の実施態様において、1種以上の追加成分/添加剤が本組成物又は最終製品に加えられて、その性質又は機能が向上され得る。本明細書で使用される通り、用語追加成分/添加剤は、ファルネセン、ジヒドロファルネセン、テトラヒドロファルネセン、ヘキサヒドロファルネセン、ファルネサン、及びこれらのマルチマー(ホモマルチマー及びヘテロマルチマーを含む)などのファルネセンの水素化により製造された反応物又は反応生成物を含まない。これらの反応物又は反応生成物は、ファルネセンの水素化の結果として組成物中に存在し得るが、1種以上の追加成分/添加剤は、機能的な目的で、部分的に水素化されたファルネセン組成物に意図的に加えられた成分/添加剤を指す。本明細書で使用される通り、用語「成分」と「添加剤」とは互換的に使用され、同じ成分、例えば、リモネンは、組成物中のその目的及び/量によって、成分(例えば、共溶媒)又は添加剤(例えば、香料)と称され得る。
【０１０３】
本組成物に加えることができる有用な共溶媒には、飽和炭化水素溶媒、グリコールエーテル、脂肪酸メチルエステル、脂肪族炭化水素溶媒、非環式炭化水素溶媒、ハロゲン化溶媒、芳香族炭化水素溶媒、環式テルペン、不飽和炭化水素溶媒、ハロカーボン溶媒、ポリオール、エーテル、グリコールエステル、アルコール、ケトン、及びこれらの任意の組み合わせがあるが、これらに限定されない。一実施態様において、本明細書に提供される組成物は、リモネン、ベンゼン、トルエン、キシレン、芳香族高引火点芳香族ナフサ(例えば、aromatic 200)、大豆メチルエステル、乳酸エチル、パラフィン(例えば、isopar M)、二塩基酸エステル(例えば、DBE-LVP)、パラフィン族ナフテン族溶媒、プロピレングリコール、エチルアルコール、及びこれらの混合物からなる群から選択される共溶媒をさらに含む。そのような共溶媒の添加は、組成物中の溶媒ブレンド対界面活性剤の比を増加させることができる。
【０１０４】
本組成物に加えることができる有用な界面活性剤には、非イオン性界面活性剤、カチオン性界面活性剤、アニオン性界面活性剤、両性界面活性剤、双極性イオン界面活性剤、又はこれらの混合物があるが、これらに限定されない。非イオン性界面活性剤の例には、アルカノールアミド、エトキシ化アルカノールアミド、エチレンビスアミドなどのアミド;脂肪酸エステル、グリセロールエステル、エトキシ化脂肪酸エステル、ソルビタンエステル、エトキシ化ソルビタンなどのエステル;アルキルフェノールエトキシラート、アルコールエトキシラート、トリスチリルフェノールエトキシラート、メルカプタンエトキシラートなどのエトキシラート;エチレンオキシド/プロピレンオキシドブロックコポリマー、塩素キャップされたエトキシラート、四官能性ブロックコポリマーなどのエンドキャップされた、及びEO/POブロックコポリマー;ラウラミンオキシド、ココアミンオキシド、ステアラミンオキシド、ステアラミドプロピルアミンオキシド、パルミトアミドプロピルアミンオキシド、デシルアミンオキシドなどのアミンオキシド;デシルアルコール、ラウリルアルコール、トリデシルアルコール、ミリスチルアルコール、セチルアルコール、エチルアルコール、ステアリルアルコール、オレイルアルコール、リノレイルアルコール及びリノレニルアルコールなどの脂肪族アルコール;並びにエトキシ化ラウリルアルコール、トリデセスアルコールなどのアルコキシ化アルコール;並びにラウリン酸、オレイン酸、ステアリン酸、ミリスチン酸、セテアリン酸（cetearic acid）、イソステアリン酸、リノール酸、リノレン酸、リシノール酸、エライジン酸、アリキドン酸（arichidonic acid）、ミリストレイン酸などの脂肪酸並びにこれらの混合物の1つ以上があるが、これらに限定されない。非イオン性界面活性剤の他の例には、ポリエチレングリコール(PEG)、アルキルPEGエステル、ポリプロピレングリコール(PPG)、及びその誘導体などのグリコールがある。一実施態様において、界面活性剤は、アルコールエトキシラート、アルキルフェノールエトキシラート、又はテルペンアルコキシラートである。
【０１０５】
カチオン性界面活性剤の例には、セチルトリメチルアンモニウムブロミド(CETAB又はセトリモニウムブロミドとしても知られる)、セチルトリメチルアンモニウムクロリド(セトリモニウムクロリドとしても知られる)、ミリスチルトリメチルアンモニウムブロミド(ミルトリモニウムブロミド又はQuatemium-13としても知られる)、ステアリルジメチルジステアリルジモニウムクロリド、ジセチルジモニウムクロリド、ステアリルオクチルジモニウムメトサルフェート、二水素化パルモイルエチル(palmoylethyl)ヒドロキシエチルモニウムメトサルフェート、イソステアリルベンジルイミドニウム(benzylimidonium)クロリド、ココイルベンジルヒドロキシエチルイミダゾリニウムクロリド、ジセチルジモニウムクロリド及びジステアリルジモニウムクロリド;イソステアリルアミノプロパルコニウムクロリド又はオレアルコニウムクロリド;ベヘントリモニウムクロリドなどの四級アンモニウム化合物;並びにこれらの混合物があるが、これらに限定されない。
【０１０６】
アニオン性界面活性剤の例には、直鎖アルキルベンゼンスルホン酸塩、アルファオレフィンスルホン酸塩、パラフィンスルホン酸塩、アルキルエステルスルホン酸塩、アルキル硫酸塩、アルキルアルコキシ硫酸塩、アルキルスルホン酸塩、アルキルアルコキシカルボン酸塩、アルキルアルコキシ化硫酸塩、モノアルキルリン酸塩、ジアルキルリン酸塩、サルコシン酸塩、スルホコハク酸塩、イセチオン酸塩、及びタウリン塩、並びにこれらの混合物があるが、これらに限定されない。本発明の組成物のアニオン性界面活性剤成分として好適な、通常使用されるアニオン性界面活性剤には、例えば、ラウリル硫酸アンモニウム、ラウレス硫酸アンモニウム、ラウリル硫酸トリエチルアミン、ラウレス硫酸トリエチルアミン、ラウリル硫酸トリエタノールアミン、ラウレス硫酸トリエタノールアミン、ラウリル硫酸モノエタノールアミン、ラウレス硫酸モノエタノールアミン、ラウリル硫酸ジエタノールアミン、ラウレス硫酸ジエタノールアミン、ラウリン酸モノグリセリド硫酸ナトリウム(lauric monoglyceride sodium sulfate)、ラウリル硫酸ナトリウム、ラウレス硫酸ナトリウム、ラウリル硫酸カリウム、ラウレス硫酸カリウム、モノアルキルリン酸ナトリウム、ジアルキルリン酸ナトリウム、ラウロイルサルコシン酸ナトリウム、ラウロイルサルコシン、ココイルサルコシン、ココイル(cocyl)硫酸アンモニウム、ラウリル硫酸アンモニウム、ココイル硫酸ナトリウム、トリデセス硫酸ナトリウム、トリデシル硫酸ナトリウム、トリデセス硫酸アンモニウム、トリデシル硫酸アンモニウム、ココイルイセチオン酸ナトリウム、スルホコハク酸ラウレス2ナトリウム、オレオイルメチルタウリンナトリウム、ラウレスカルボン酸ナトリウム、トリデセスカルボン酸ナトリウム、ラウリル硫酸ナトリウム、ココイル硫酸カリウム、ラウリル硫酸カリウム、ココイル硫酸モノエタノールアミン、トリデシルベンゼンスルホン酸ナトリウム、及びドデシルベンゼンスルホン酸ナトリウムがある。トリデセス硫酸ナトリウム、トリデシル硫酸ナトリウム、トリデセス硫酸アンモニウム、トリデシル硫酸アンモニウム、及びトリデセスカルボン酸ナトリウムなどの分岐鎖アニオン性界面活性剤が特に好ましい。
【０１０７】
両性界面活性剤の例には、脂肪族基が直鎖でも分岐鎖でもよく、脂肪族置換基の1つが約8〜約18個の炭素原子を含み、1つがアニオン性水可溶化基を含む脂肪族二級及び三級アミンの誘導体があるが、これらに限定されない。好適な両性界面活性剤の具体的な例には、アルキルアンホカルボキシ(amphocarboxy)グリシナート及びアルキルアンホカルボキシプロピオナート、アルキルアンホジプロピオナート、アルキルアンホジアセタート、アルキルアルンホグリシナート（arnphoglycinates）、及びアルキルアンホプロピオナート、並びにアルキルイミノプロピオナート、アルキルイミノジプロピオナート、及びアルキルアンホプロピルスルホナート、例えば、ココアンホアセタート、ココアルンホプロピオナート(cocoarnphopropionate)プロピオナート、ココアンホジアセタート、ラウロアンホアセタート、ラウロアンホジアセタート、ラウロアンホジプロピオナート、ラウロアンホジアセタート、ココアンホプロピルスルホナート、カプロアンホジアセタート、カプロアンホアセタート、カプロアンホジプロピオナート、及びステアロアンホアセタートのアルカリ金属、アルカリ土類金属、アンモニウム又は置換アンモニウム塩などがある。
【０１０８】
双極性イオン界面活性剤の例には、ココジメチルカルボキシメチルベタイン、ラウリルジメチルカルボキシメチルベタイン、ラウリルジメチルアルファ-カルボキシ-エチルベタイン、セチルジメチルカルボキシメチルベタイン、ラウリルビス-(2-ヒドロキシ-エチル)カルボキシメチルベタイン、ステアリルビス-(2-ヒドロキシ-プロピル)カルボキシメチルベタイン、オレイルジメチルガンマ-カルボキシプロピルベタイン、及びラウリルビス-(2-ヒドロキシプロピル)アルファ-カルボキシエチルベタイン、アミドプロピルベタインなどのアルキルベタイン、並びにココジメチルスルホプロピルベタイン、ステアリルジメチルスルホプロピルベタイン、ラウリルジメチルスルホエチルベタイン、ラウリルビス-(2-ヒドロキシ-エチル)スルホプロピルベタイン、及びアルキルアミドプロピルヒドロキシスルタインなどのアルキルスルタインがあるが、これらに限定されない。
【０１０９】
特定の実施態様において、本明細書に提供される組成物は、ラウリルエーテル硫酸ナトリウム、エトキシ化アルコール界面活性剤(例えば、Tomadol 25-3、Tomadol 25-7)、脂肪酸ジエタノールアミン(例えば、コカミドDEA)、橙皮油乳化剤(例えば、Videt ME-80)、アクリラート系乳化コポリマー(例えば、Alcogum SL-70)、ラウリルアルコールのポリオキシエーテル(例えば、Laureth-7)、ドデシルベンゼンスルホン酸直鎖イソプロピルアミン(例えば、Rhodocal IPAM)、ブレンドされたアルコールエトキシラート(例えば、Videt Q3)、アルコキシ化アルコール(例えば、Tergitol 15-S-7)、イミノジプロピオン酸ナトリウム(例えば、Amphoteric 400)、非イオン性アルコールエトキシラート(例えば、Ecosurf EH-6)、パーム核アルコールエトキシ化及びプロポキシ化界面活性剤(例えば、Ecosurf SA-7)、キシレンスルホン酸ナトリウム(例えば、Alkatrope SXS-40)、又はこれらの混合物などの界面活性剤を含む。
【０１１０】
本組成物に加えることができる有用な乳化剤には、多糖エーテル、ポリグリコシド、脂肪酸、脂肪族アルコール、アミンオキシド、水溶性セルロース誘導体、スルホン酸アルキル、エトキシ化アルキルフェノール、アルカナオールアミド(alkanaolamides)、ベタイン、両性イオン性物質（zwiterionics）、カルボキシル化アルコール、カルボン酸、エトキシ化アルコール、及びこれらの誘導体があるが、これらに限定されない。特定の実施態様において、本明細書に提供される組成物は、ラウリルアルコール(例えば、Laureth-7)、脂肪酸ジエタノールアミン(例えば、コカミドDEA)、メチル硫酸アンモニウム及び脂肪族アルコールエトキシラート(例えば、Steposol DG)、Tomadyne 100界面活性剤、直鎖アルコール(C12-15)エトキシラート、POE-7、POE-3、分岐ドデシルベンゼンスルホン酸ナトリウム、又はこれらの混合物などの乳化剤をさらに含む。
【０１１１】
本組成物に加えることができる有用な軟化剤には、従来の脂質材料(例えば、脂肪、蝋)、極性脂質(より水溶性になるように修飾された脂質)、シリコーン、炭化水素、及び他の溶媒材料があるが、これらに限定されない。軟化剤は、例えば、石油系、脂肪酸タイプ、アルキルエトキシラートタイプ、脂肪酸エステルエトキシラート、脂肪族アルコールタイプ、ポリシロキサンタイプ、ムコ多糖、又はこれらの混合物を含み得る。他の有用な軟化剤には、多価アルコール、例えば、グリセリン及びプロピレングリコールなど;ポリエチレングリコールなどのポリオール;スクロース、ソルビトールなどの糖類及び/又は多糖;並びにヒドロキシエチル尿素などの尿素誘導体などもある。特定の実施態様において、本明細書に提供される組成物は、Crodamol STS(例えば、ミリスチン酸PPG-3ベンジルエーテル)、Versagel ME-750(例えば、水添ポリイソブテン、ブチエレン(butyelen)/エチレン/スチレンコポリマー、エチレン/プロピレン/スチレンコポリマー)、Softisan 649(例えば、ビスジグリセリルポリアシルアジペート-2、Crodamol PTIS(テトライソステアリン酸ペンタエリスリチル)、Super Sterol Ester(例えば、C10-30コレステロール/ラノステロールエステル)、又はこれらの混合物などの軟化剤をさらに含む。
【０１１２】
本組成物に加えることができる有用な増粘剤には、有機増粘剤及び無機増粘剤があるが、これらに限定されない。有機増粘剤は、セルロースの増粘剤及びその誘導体、天然ゴム、アクリル酸塩、スターチ、ステアラート、及び脂肪酸アルコールを含み得る。無機増粘剤は、粘土及び塩を含み得る。セルロースの増粘剤の例には、カルボキシメチルヒドロキシエチルセルロース、セルロース、ヒドロキシブチルメチルセルロース、ヒドロキシエチルセルロース、ヒドロキシプロピルセルロース、ヒドロキシプロピルメチルセルロース、メチルセルロース、微結晶性セルロース、セルロース硫酸ナトリウムなどがある。天然ゴムの例には、アラビアゴム、カラギーナンカルシウム、グアー、ゼラチン、グアーガム、ヒドロキシプロピルグアー、カラヤゴム、ケルプ、ローカストビーンガム、ペクチン、カラギーナンナトリウム、トラガカントガム、キサンタンガムなどがある。アクリル酸塩の例には、ポリアクリル酸カリウムアルミニウム、アクリル酸ナトリウム/ビニルアルコールコポリマー、ポリメタクリル酸ナトリウムなどがある。スターチの例には、燕麦粉、ジャガイモデンプン、小麦粉、小麦デンプンなどがある。ステアラートの例には、メトキシPEG-22/ドデシルグリコールコポリマー、PEG-2M、PEG-5Mなどがある。脂肪酸アルコールの例には、カプリルアルコール、セテアリルアルコール、ラウリルアルコール、オレイルアルコール、パーム核アルコールなどがある。粘土のいくつかの非限定的な例には、ベントナイト、ケイ酸マグネシウムアルミニウム、三ケイ酸マグネシウム、ステアラルコニウムベントナイト、トリメチルアミンマグネシウムアルミニウムシリケートなどがある。塩のいくつかの非限定的な例には、塩化カルシウム、塩化ナトリウム、硫酸ナトリウム、塩化アンモニウムなどがある。組成物の非水性部分を増粘するために使用できる増粘剤のいくつかの非限定的な例には、カンデリラ蝋、カルナバ蝋、蜜蝋などの蝋、油、植物油及び動物油などがある。特定の実施態様において、本組成物は、アクリラートC10-30クロスポリマー、Kelzan ASX-T(例えば、キサンタンガム)、直鎖アルコールエトキシラート、C12-14、又はこれらの混合物などの増粘剤をさらに含み得る。
【０１１３】
本組成物に加えることができる有用なハイドロトロープには、キシレンスルホン酸ナトリウム及びアンモニウム、アルキルジスルホン酸ナトリウム、溶媒、特に、エタノール、イソプロパノール、エトキシジグリコール、グリコールなどのアルコール性溶媒、並びにプロピレングリコール、メチルプロパン、ジオール、ブチレングリコール、ヘキシレングリコール、グリセリン、デキストロース、ソルビトール、スクロース、フルクトース、他の糖類などのポリヒドロキシ化合物、又はこれらの混合物があるが、これらに限定されない。
【０１１４】
本組成物に加えることができる有用なpH制御剤及び/又は緩衝剤には、水酸化ナトリウム、水酸化カリウム、テトラエチルアンモニウム、クエン酸ナトリウム、酢酸、クエン酸、塩酸などがあるが、これらに限定されない。pH制御剤は、組成物を所望のpHに保つのに必要な量で加えることができる。メタケイ酸ナトリウム、五水和物、炭酸水素ナトリウムなどの緩衝剤を使用して、組成物を所望のpHに保つこともできる。例えば、pH制御剤を加えて、組成物の最終用途に応じて、約1〜約14から選択された組成物pHを保つことができる。例えば、重質工業用洗浄用途用の組成物は、pH制御剤及び/又は緩衝剤により約11又は約13〜14のpHを有するように処方され得る。一般に、pH制御剤及び/又は緩衝剤は、組成物の総重量に対して、約0.1%〜約10%の範囲、典型的には約0.5%〜約5%の範囲の少量で加えられる。
【０１１５】
最終使用又は用途に応じて、部分的に水素化された本ファルネセン組成物は、1種以上の追加成分又は添加剤と種々の比率で混合され得る。特定の実施態様において、部分的に水素化された本ファルネセン組成物を、組成物/製品の総重量に基づいて主要な重量パーセント成分として混合物に加えることができ、少なくとも1種の追加成分/又は添加剤を、より少ない重量パーセント成分として該混合物に加えることができる。例えば、実施例17に示される通り、組成物は、69重量%の部分的に水素化された本ファルネセン組成物(例えば、実施例2組成物又は本明細書に記載される任意の好適な部分的に水素化されたファルネセン組成物)及び31重量%の少なくとも1種の追加成分(例えば、乳化剤及び/又は担体)を含み得る。特定の実施態様において、組成物/製品は、組成物/製品の総重量に基づいて、少なくとも50、55、60、65、70、75、80、85、90、95、96、97、98、又は99重量%の部分的に水素化された本ファルネセン組成物及び少なくとも1種の追加成分を含む。特定の実施態様において、組成物/製品は、部分的に水素化された本ファルネセン組成物をより少ない重量パーセント成分として含む。例えば、組成物/製品は、約50重量%未満、約45重量%未満、約40重量%未満、約35重量%未満、約30重量%未満、約25重量%未満、約20重量%未満、約15重量%未満、約10重量%未満、約5重量%未満、約4重量%未満、約3重量%未満、約2重量%未満、又は約1重量%未満の部分的に水素化された本ファルネセン組成物及び少なくとも1種の追加成分/添加剤を含む。特定の実施態様において、組成物/製品は、組成物の総重量に基づいて、部分的に水素化された本組成物を、約0.1重量%〜約99.9重量%、典型的には約0.5重量%〜約99.9重量%の間で選択される任意の好適な範囲で含み、且つ少なくとも1種の追加成分/添加剤を含む。
【０１１６】
特定の実施態様において、組成物/製品は、共溶媒を、追加成分として、部分的に水素化された本ファルネセン組成物との混合物中に含む。特定の実施態様において、共溶媒は、組成物/製品中に、組成物/製品の主要な重量パーセント成分として含まれ得る。例えば、組成物/製品は、少なくとも約50重量%、少なくとも約55重量%、少なくとも約60重量%、少なくとも約65重量%、少なくとも約70重量%、少なくとも約75重量%、少なくとも約80重量%、少なくとも約85重量%、少なくとも約90重量%、少なくとも約95重量%、少なくとも約96重量%、少なくとも約97重量%、少なくとも約98重量%、又は少なくとも約99重量%の共溶媒及びより少ない成分としての部分的に水素化された本ファルネセン組成物を含み得る。他の実施態様において、組成物/製品は、共溶媒を、より少ない成分として含む。例えば、組成物/製品は、約50重量%未満、約45重量%未満、約40重量%未満、約35重量%未満、約30重量%未満、約25重量%未満、約20重量%未満、約15重量%未満、約10重量%未満、約5重量%未満、約4重量%未満、約3重量%未満、約2重量%未満、又は約1重量%未満の共溶媒及び任意の好適な量の部分的に水素化された本ファルネセン組成物を含む。特定の実施態様において、組成物/製品は、共溶媒を、組成物の総重量に基づいて、約0.1重量%〜約99.9重量%、典型的には約0.5重量%〜約99重量%の間で選択される任意の好適な範囲で含む。組成物/製品に加えられる共溶媒の量は、組成物/製品の最終使用又は用途に依存する。例えば、溶媒ブレンドを製造する際に、部分的に水素化された本ファルネセン組成物と共溶媒(複数可)とは、約70:30、90:10、75:25、又は以下の実施例の項に示される任意の好適な比率で混合され得る。
【０１１７】
特定の実施態様において、組成物/製品は、部分的に水素化された本ファルネセン組成物及び追加成分としての界面活性剤を含む。特定の実施態様において、1種以上の界面活性剤が、主要な重量パーセント成分として組成物/製品に含まれる。例えば、実施例14に示される通り、組成物/製品は、1種以上の界面活性剤を、組成物/製品の総重量の主要な成分(例えば、50重量%)として含み得る。特定の実施態様において、組成物/製品は、組成物/製品の総重量に基づいて、少なくとも50重量%、少なくとも55重量%、少なくとも60重量%、少なくとも65重量%、少なくとも70重量%、少なくとも75重量%、少なくとも80重量%、少なくとも85重量%、少なくとも90重量%、少なくとも95重量%、少なくとも96重量%、少なくとも97重量%、少なくとも98重量%、又は少なくとも99重量%の1種以上の界面活性剤を主要な重量パーセント成分として、及び部分的に水素化された本ファルネセン組成物をより少ない重量パーセント成分として含み得る。他の実施態様において、1種以上の界面活性剤は、組成物/製品に、実施例15に示される通り、より少ない重量パーセント成分として含まれる。例えば、組成物/製品は、約50重量%未満、約45重量%未満、約40重量%未満、約35重量%未満、約30重量%未満、約25重量%未満、約20重量%未満、約15重量%未満、約10重量%未満、約5重量%未満、約4重量%未満、約3重量%未満、約2重量%未満、又は約1重量%未満の界面活性剤及び任意の好適な量の部分的に水素化された本ファルネセン組成物を含み得る。特定の実施態様において、組成物/製品は、界面活性剤を、組成物の総重量に基づいて、約0.1重量%〜約99.9重量%、典型的には約0.5重量%〜約99重量%の間で選択される任意の好適な範囲で含む。組成物/製品に加えられる界面活性剤の量は、組成物/製品の最終使用又は用途に依存する。例えば、約6重量%の部分的に水素化されたファルネセン組成物と約3重量%の界面活性剤とが、実施例15に示されるハンドクリーナーの製造において他の成分と混合され得る。
【０１１８】
特定の実施態様において、組成物/製品は、部分的に水素化された本ファルネセン組成物との混合物中に、少なくとも1つの追加成分として水を含む。特定の実施態様において、水は、組成物/製品中に、担体又は希釈剤として、組成物/製品の主要な重量パーセント成分として含まれ得る。例えば、実施例15に示される通り、組成物/製品は、主要な成分(例えば、希釈剤として83.65重量%)として水を、及び溶媒として、且つより少ない成分(例えば、6.0重量%)として部分的に水素化された本ファルネセン組成物(例えば、実施例2)を含み得る。特定の実施態様において、組成物/製品は、少なくとも約50重量%、少なくとも約55重量%、少なくとも約60重量%、少なくとも約65重量%、少なくとも約70重量%、少なくとも約75重量%、少なくとも約80重量%、少なくとも約85重量%、少なくとも約90重量%、少なくとも約95重量%、少なくとも約96重量%、少なくとも約97重量%、少なくとも約98重量%、又は少なくとも約99重量%の水及びより少ない成分としての部分的に水素化された本ファルネセン組成物を含み得る。他の実施態様において、組成物/製品は、水を、より少ない成分として含む。例えば、組成物/製品は、約50重量%未満、約45重量%未満、約40重量%未満、約35重量%未満、約30重量%未満、約25重量%未満、約20重量%未満、約15重量%未満、約10重量%未満、約5重量%未満、約4重量%未満、約3重量%未満、約2重量%未満、又は約1重量%未満の水及び任意の好適な量の部分的に水素化された本ファルネセン組成物を含み得る。特定の実施態様において、組成物/製品は、水を、組成物の総重量に基づいて、約0.1重量%〜約99.9重量%、典型的には約0.5重量%〜約99重量%の間で選択される任意の好適な範囲で含む。組成物/製品に加えられる水の量は、組成物/製品の最終使用又は用途に依存する。例えば、万能洗浄剤及びエンジン脱脂剤では、水は、主要な成分(例えば、少なくとも80重量%又は少なくとも90重量%)として加えられ、部分的に水素化された本ファルネセン組成物は、より少ない重量パーセント成分として(例えば、10重量%未満又は約1重量%以下)として加えられ得る。別の実施例において、万能洗浄剤濃縮物では、水と部分的に水素化された本ファルネセン組成物の両方が、より少ない重量パーセント成分として(例えば、実施例23に示される通り両方とも10重量%未満)加えられ得る。
【０１１９】
特定の実施態様において、組成物/製品は、部分的に水素化された本ファルネセン組成物及び追加成分としての乳化剤を含む。特定の実施態様において、乳化剤は、組成物/製品の主要な重量パーセント成分として、組成物/製品に含まれ得る。例えば、組成物/製品は、少なくとも約50重量%、少なくとも約55重量%、少なくとも約60重量%、少なくとも約65重量%、少なくとも約70重量%、少なくとも約75重量%、少なくとも約80重量%、少なくとも約85重量%、少なくとも約90重量%、少なくとも約95重量%、少なくとも約96重量%、少なくとも約97重量%、少なくとも約98重量%、又は少なくとも約99重量%の乳化剤及びより少ない成分としての部分的に水素化された本ファルネセン組成物を含み得る。特定の実施態様において、1種以上の乳化剤は、より少ない成分として、組成物/製品に含まれる。例えば、組成物/製品は、約50重量%未満、約45重量%未満、約40重量%未満、約35重量%未満、約30重量%未満、約25重量%未満、約20重量%未満、約15重量%未満、約10重量%未満、約5重量%未満、約4重量%未満、約3重量%未満、約2重量%未満、又は約1重量%未満の乳化剤及び任意の好適な量の部分的に水素化された本ファルネセン組成物を含み得る。特定の実施態様において、組成物/製品は、1種以上の乳化剤を、組成物の総重量に基づいて、約0.1重量%〜約50重量%未満、典型的には約1重量%〜約50重量%未満の間で選択される任意の好適な範囲で含む。組成物/製品に加えられる乳化剤（複数可）の量は、組成物/製品の最終使用又は用途に依存する。例えば、実施例17に示される溶媒脱脂剤及びインク除去剤の製造において、約69重量%の部分的に水素化されたファルネセン組成物と約11重量%の乳化剤が他の成分と混合され得る。
【０１２０】
特定の実施態様において、組成物/製品は、現在部分的に水素化されたファルネセン組成物及び追加成分としての軟化剤を含む。特定の実施態様において、軟化剤は、組成物/製品の主要な重量パーセント成分として、製品中に含まれ得る。例えば、組成物/製品は、少なくとも約50重量%、少なくとも約55重量%、少なくとも約60重量%、少なくとも約65重量%、少なくとも約70重量%、少なくとも約75重量%、少なくとも約80重量%、少なくとも約85重量%、少なくとも約90重量%、少なくとも約95重量%、少なくとも約96重量%、少なくとも約97重量%、少なくとも約98重量%、又は少なくとも約99重量%の軟化剤及びより少ない成分としての部分的に水素化された本ファルネセン組成物を含み得る。特定の実施態様において、1種以上の軟化剤は、より少ない成分として組成物/製品中に含まれる。例えば、組成物/製品は、約50重量%未満、約45重量%未満、約40重量%未満、約35重量%未満、約30重量%未満、約25重量%未満、約20重量%未満、約15重量%未満、約10重量%未満、約5重量%未満、約4重量%未満、約3重量%未満、約2重量%未満、又は約1重量%未満の軟化剤及び任意の好適な量の部分的に水素化された本ファルネセン組成物を含み得る。特定の実施態様において、組成物/製品は、1種以上の軟化剤を、組成物の総重量に基づいて、約0.1重量%〜約50重量%未満、典型的には約1重量%〜約50重量%未満の間で選択される任意の好適な範囲で含む。組成物/製品に加えられる軟化剤(複数可)の量は、組成物/製品の最終使用又は用途に依存する。
【０１２１】
特定の実施態様において、組成物/製品は、現在部分的に水素化されたファルネセン組成物及び追加成分としての増粘剤を含む。特定の実施態様において、増粘剤は、組成物/製品の主要な重量パーセント成分として、製品中に含まれ得る。例えば、組成物/製品は、少なくとも約50重量%、少なくとも約55重量%、少なくとも約60重量%、少なくとも約65重量%、少なくとも約70重量%、少なくとも約75重量%、少なくとも約80重量%、少なくとも約85重量%、少なくとも約90重量%、少なくとも約95重量%、少なくとも約96重量%、少なくとも約97重量%、少なくとも約98重量%、又は少なくとも約99重量%の増粘剤及びより少ない成分としての部分的に水素化された本ファルネセン組成物を含み得る。特定の実施態様において、1種以上の増粘剤は、より少ない成分として組成物/製品中に含まれる。例えば、組成物/製品は、約50重量%未満、約45重量%未満、約40重量%未満、約35重量%未満、約30重量%未満、約25重量%未満、約20重量%未満、約15重量%未満、約10重量%未満、約5重量%未満、約4重量%未満、約3重量%未満、約2重量%未満、又は約1重量%の増粘剤及び任意の好適な量の部分的に水素化された本ファルネセン組成物を含み得る。特定の実施態様において、組成物/製品は、1種以上の増粘剤を、組成物の総重量に基づいて、約0.1重量%〜約50重量%未満、典型的には約1重量%〜約50重量%未満の間で選択される任意の好適な範囲で含む。組成物/製品に加えられる増粘剤(複数可)の量は、組成物/製品の最終使用又は用途に依存する。例えば、約90重量%の部分的に水素化されたファルネセンと約10重量%の増粘剤が混合されて、実施例24に示される金属洗浄剤が製造され得る。
【０１２２】
特定の実施態様において、組成物/製品は、本明細書に記載される1種以上の成分及び/又は添加剤を好適な比率でさらに含んで、該組成物/製品に所望の性質を与え得る。
【０１２３】
部分的に水素化された組成物及び成分/添加剤の量又は量の範囲は用語「約」を使用して本明細書に記載されるが、該量又は量の範囲は、本明細書で述べられたまさにその値又はまさにその範囲を含み得る。
【０１２４】
本発明の組成物/製品は、組成物の混合又はブレンドなどの典型的なプロセスにより製造できる。成分の一部又は全てを一度に混合でき、又はいくつかの実施態様において、組成物は、選択された成分に好適な添加順序及び温度で、低又は中程度のせん断混合と共に混合容器への成分の連続的な添加により製造できる。
【０１２５】
特定の実施態様において、最終製品は、本組成物により含浸されたワイプの形態である。ワイプは、不織材料、布、スポンジ、又は本組成物により事前に湿らされ得る任意の吸収剤材料などの任意の好適な形態でよい。いくつかの実施態様において、最終製品は、スプレーノズルなどのアプリケーターの付いた容器に保存できる。
【０１２６】
特定の実施態様において、本組成物を有するキットが本明細書に提供される。キットは、本明細書に記載される本組成物並びに該組成物及び/又は製品を使用するための説明書を含み得る。例えば、キットの実施態様は、組成物をそのままで使用するための説明書又は組成物を水(又は他の好適な希釈剤)により適切な希釈比で希釈するための説明書を含み得る。キットは、乾燥しているか、若しくは本組成物により事前に湿らされているワイプ、手袋、又は他の付属品をさらに含み得る。
【０１２７】
本明細書に提供される溶媒組成物の製剤成分としての性能に関しては、それらは、硬質表面重質洗浄剤、ハンドクリーナー、落書き除去剤、クレヨン/ペンインク除去剤、虫とタールの除去剤、エンジン脱脂剤、洗濯物予洗剤、オーブンクリーナー、自動車内装洗浄剤、万能洗浄剤濃縮物、及び金属洗浄流体、接着剤除去剤、並びに塗料除去剤を含むがこれらに限定されない広範囲の消費者向け製品と完全に適合可能である。溶媒組成物は、ナイトクリーム、癖毛防止剤、リップグロス、及びマニキュア除去剤などの広範囲のパーソナルケア製品とも完全に適合可能である。
【０１２８】
本明細書に記載される材料は、農薬及び殺虫剤、ホットメルト接着剤、シーラント、樹脂及びエラストマー製剤中のコモノマー、掘削泥用途用の合成基剤流体、油回収の増大、塗料及びコーティング中の添加剤、木の処理、可塑化用途の加工油、反応性希釈剤、フリーデルクラフツ及びラジカル重合におけるコモノマー、潤滑剤及び潤滑剤添加剤、メタセシスクロスパートナー/基質、粘度調整剤、光硬化性及び温度硬化性開始剤系、香料製剤用の溶媒及び共溶媒、抗菌性及び/又は抗真菌性添加剤、並びにネイルエナメル中の可塑剤の用途に著しい利益を与えることも期待される。
【実施例】
【０１２９】
（実施例）
本明細書で使用される通り、これらのプロセス、スキーム、及び実施例に使用される記号及び慣例は、特定の略語が具体的に定義されているか否かにかかわらず、現代の科学文献、例えば、the Journal of the American Chemical Society又はthe Journal of Biological Chemistryに使用されているものと一致するものとする。具体的だが非限定的に、以下の略語が、実施例中及び明細書全体で使用され得る:g(グラム);mg(ミリグラム);mL(ミリリットル);μL(マイクロリットル);mM(ミリモラー);μM(マイクロモラー);Hz(ヘルツ);MHz(メガヘルツ);mmol(ミリモル);ppm(百万分率);hr又はhrs(時間);min(分);MS(質量分析法);ESI(エレクトロスプレーイオン化);TLC(薄層クロマトグラフィー);HPLC(高圧液体クロマトグラフィー);THF(テトラヒドロフラン);CDCl3(重水素化クロロホルム);AcOH(酢酸);DCM(ジクロロメタン);DMSO(ジメチルスルホキシド);DMSO-d6(重水素化ジメチルスルホキシド);EtOAc(酢酸エチル);MeOH(メタノール);及びBOC(t-ブチルオキシカルボニル)。
【０１３０】
以下の実施例の全てでは、当業者に公知である標準的な後処理及び精製方法を利用できる。特記されない限り、温度は全て℃(摂氏温度)で表す。特記されない限り、反応は全て室温で実施する。本明細書で表す合成方法は、具体的な実施例の利用により適用可能な化学作用を例示することが意図され、本開示の範囲を示すものではない。
【０１３１】
（実施例1〜9:部分的に水素化されたファルネセン溶媒組成物）
組成物を、上記説明に従って製造した。該組成物を、ガスクロマトグラフィー-FIDにより評価した。該組成物は以下の成分(重量%)を有した:
【表１】
2017520668.tif 000006
【０１３２】
実施例1〜9の他に、追加の組成物をいくつか製造し、ガスクロマトグラフィー-FIDにより評価した。製造した組成物の全体的な範囲は以下の通りである:
【表２】
2017520668.tif 000007
【０１３３】
実施例1から9及び他の同様に製造した組成物を、溶媒としての適用性及び他の最終用途に関して試験した。実施例2及び実施例9として示した組成物を、独立した第三者の研究所により性能が試験できるように他の成分/添加剤と共に製剤すべき典型的な組成物として選択した。典型的な組成物/製品及び独立した第三者の研究所により試験されたその性能結果を以下に記載する。
【０１３４】
（実施例10:アスファルト除去試験）
実施例2の溶媒組成物を、アスファルト除去の洗浄効率に関して試験した。洗浄効率は、いくつかの公知の洗浄溶媒と比較して評価した。
【０１３５】
溶媒を、Gardner Blue Straight-Line Washability Machineで試験した。Armor Coatアスファルトシーラー(Lot# 2505600120、LC# 14-T0076)を、Gardco Adjustable Filmアプリケーターを使用して、15.0cm×10.0cmの304 SSのブラシをかけたステンレススチールパネルに適用した。アプリケーターを、0.300mmのギャップに設定した。該パネルを、1000℃に予熱した強制空気オーブン中に2時間置いた。試験前に、該パネルを取り出し、周囲条件下で最低1時間冷却した。
【０１３６】
小型の3MセルローススポンジをASTM D4488 A5に従って調整した。汚されエージングされたパネルを、テンプレートを使用して、Gardner Straight-line洗浄性装置に置いた。20mLの試験溶媒を、調整済みスポンジに適用した。スポンジを、アスファルト汚れの上に反転させた。Gardner機械を始動し、試験溶媒によりおよそ70〜90%の汚れが除かれるまで運転した。機械を停止した後、パネルを、冷水道水の流れによりすすいだ。パネルを風乾させた。
【０１３７】
カメラと照明の小部屋を利用して、洗浄したパネルのデジタル写真を撮影した。画像を画像解析ソフトウェアにより解析して、表面から除かれたビチューメンのパーセンテージを定量化した。除かれた平均のパーセンテージ及び該除かれたパーセンテージを達成するために要した平均サイクル数を以下に与える:
【表３】
2017520668.tif 000008
【０１３８】
上記結果に示される通り、実施例2の溶媒組成物及びそのブレンドは、標準的な洗浄溶媒と同等か、又はそれより良好な洗浄効率を示した。アスファルト洗浄試験の代表的なパネルの画像を図1に示す。
【０１３９】
（実施例11:ホワイトリチウムグリース除去試験）
上記で示した実施例2の組成物を、ホワイトリチウムグリース除去の洗浄効率に関して試験した。洗浄効率を、いくつかの公知の洗浄溶媒と比較して評価した。
【０１４０】
溶媒を、Gardner Blue Straight-Line Washability Machineで試験した。一般多用途リチウムグリース(NLGI ＃3グレードのリチウムグリース)を、Gardco Adjustable Filmアプリケーターを使用して、15.0cm×10.0cmの304 SSのブラシをかけたステンレススチールパネルに適用した。該アプリケーターを、0.400mmのギャップに設定した。該パネルを、160℃に予熱した強制空気オーブン中に18時間置いた。該パネルをオーブンから取り出し、次いでオーブンを190℃に加熱した。該パネルを、7時間オーブンに戻した。試験の前に、該パネルを取り出し、周囲条件下で最低90分間冷却した。
【０１４１】
小型の3Mセルローススポンジを、ASTM D4488 A5に従って調整した。汚されエージングされたパネルを、テンプレートを使用して、Gardner Straight-line洗浄性装置に置いた。20mLの試験溶媒を、調整済みスポンジに適用した。スポンジを、アスファルトの汚れの上に逆さに載せた。Gardner機械を始動し、試験溶媒によりおよそ70〜90%の汚れが除去されるまで運転した。機械を停止した後、該パネルを冷水道水の流れですすいだ。該パネルを風乾させた。
【０１４２】
カメラと照明の小部屋を利用して、洗浄したパネルのデジタル写真を撮影した。画像を画像解析ソフトウェアにより解析して、表面から除かれたビチューメンのパーセンテージを定量化した。以下の結果は、除かれた平均のパーセンテージ及び該除かれたパーセンテージを達成するために要した平均サイクル数を与える。
【表４】
2017520668.tif 000009
【０１４３】
結果に示される通り、実施例2の組成物は、標準的な洗浄溶媒と同等か、又はそれより良好な洗浄効率を示した。リチウムグリース洗浄試験の代表的なパネルの画像を図2に示す。
【０１４４】
（実施例12:酸化安定性）
本明細書に提供される組成物の酸化安定性を評価した。
【０１４５】
各試料で、試験組成物を、25℃で104週間保存した。残った組成物の量を試験し、初期時間の量と比較した。さらなる試料を60℃で6日間保存した。残った組成物の量を試験し、初期時間の量と比較した。
【表５】
2017520668.tif 000010
【０１４６】
（実施例13:pH安定性）
本明細書に提供される組成物のpH安定性を評価した。
【０１４７】
各試料で、試験組成物を、列記されたpHで、25℃で30分間保存した。残った組成物の量を試験し、初期時間の量と比較した。
【表６】
2017520668.tif 000011
【０１４８】
（実施例14:硬質表面重質洗浄剤）
硬質表面又は基材を洗浄するための典型的な2種の洗浄組成物をここに提供する。
【表７】
2017520668.tif 000012
【表８】
2017520668.tif 000013
【０１４９】
これらの洗浄剤は、工業用途においてヘビーグリース表面を洗浄するために使用できる。
【０１５０】
（実施例15:ハンドクリーナー）
手の表面の重質洗浄のための2つの典型的な洗浄組成物をここに提供する。
組成物15A
【表９】
2017520668.tif 000014
組成物15B
【表１０】
2017520668.tif 000015
【０１５１】
これらの組成物は、研磨剤あり又はなしで、水を必要としないハンドクリーナー及び消毒剤として使用でき、工業環境における重質洗浄に有用である。
【０１５２】
実施例2を組み込んだハンドクリーナーの第二の処方(すなわち組成物15B)を、ASTM D4488-95-A6を利用して、洗浄効率に関して試験した。洗浄効率を、市販及び高級ブランドハンドクリーナーと比較して評価した。
【０１５３】
ハンドクリーナーを、Gardner Blue Straight-Line Washability Machineにより試験した。
【０１５４】
パネル調製:ステンレススチール板金を6インチ(15.24cm)×6インチ(15.24cm)の正方形に切り出した。該パネルをペーパータオル及びアセトンで洗浄して、オイルフィニッシュ及び埃をパネルから除いた。白い半光沢塗料を、洗浄したパネルに塗布した。次いで、パネルを7時間風乾させ、54.5℃のオーブン中に16時間置いた。使用前に、パネルを室温で7時間冷却した。
【０１５５】
汚れの塗布:該パネルを、汚れをペイントアプリケーターに塗布することにより、汚れ混合物により別々に汚し、次いで、それを、均一な汚れの塗布を得るのに必要な回数、調製したパネル全体に延ばした。最終的な汚れの領域は、幅が2.5インチ(6.35cm)で、パネルの全長にわたっていた。次いで、パネルを54.5℃のオーブン中に16〜17時間置いた。
【０１５６】
測色計測定:CR-410 Colorimeterの適切な較正の後、そのデータプロセッサーをYモードに設定した。この試験では、「Y」値を使用することだけが必要であった。スチールパネルの反射率を、試験領域のグレイン(grain)を垂直に横切り1パネルあたり5点測定することにより、汚染の前後に読み取った。5つの測定値から平均を計算し、結果の計算に使用した。
【０１５７】
洗浄試験:製品を受け取ったまま試験した(RTU)。汚れたパネルをスクラビングマシンに載せ、Cクランプで基部に固定した。10gの試験ゲルをきれいな湿ったセルローススポンジに均一に塗布し、湿った側が汚れたパネルと接触するように反転させ、9サイクルこすり落とした。パネルを取り除き、冷水道水で軽くすすぎ、風乾させた。洗浄効率%(C.E.)=(Rc-Rs)/(Ro-Rs)×100であり、式中、Rc=洗浄された反射率;Ro=元の反射率;及びRs=汚れた反射率である。
【表１１】
2017520668.tif 000016
【０１５８】
上記表に示したハンドクリーナーで洗浄された代表的なパネルの写真を図3に示す。図3に示されるように、本実施態様による組成物(ハンドクリーナーLC#142J2611)は、市販のクリーナーと同等か、又はそれより良好な洗浄効率を示した。
【０１５９】
実施例2を組み込んだハンドクリーナーの第二の処方(組成物15B)も、CSPA DCC-17を利用して洗浄効率に関して試験した。洗浄効率を、市販及び高級ブランドハンドクリーナーと比較して評価した。
【０１６０】
パネル調製:メゾナイトタイルを、手洗い食器洗剤の軽質希釈液(light duty dilution)で洗浄し、パネルを風乾させた。
【０１６１】
インク/マーカー塗布:各マーカーの二重の塗布を、各線を1インチ(2.54cm)あけて、均一な直線でメゾナイトタイルの長い端に沿って塗布した。汚れた基材を、一晩室温で乾燥させた。
【０１６２】
洗浄試験:きれいな調整済みスポンジを各洗浄手順に利用した。10グラムのクリーナーを、湿ったスポンジに供給した(スポンジ及びホルダーは、約350グラムの重さがある)。スポンジを、製造された端がこすり落とす表面であるように置いた。装置中のタイルを、こすり落とす作用が、汚れの方向に垂直であるように置いた。洗浄装置を、汚れた領域の上で合計25サイクル運転した。試験領域を冷水道水ですすいだ。
【０１６３】
評価:2名のパネリストの群が洗浄された領域を評価し、各マーカーで得られた洗浄のパーセンテージを決定した。各評価の平均を報告する。
【表１２】
2017520668.tif 000017
【０１６４】
上記表に示された洗浄試験結果は、図4に示される代表的な洗浄済みタイルにも表わされる。図4は、本実施態様によるハンドクリーナー(ハンドクリーナーLC#142J2611)が、市販製品と同等か、又はそれより良好な洗浄効率を示したことを表す。
【０１６５】
（実施例16:落書き除去剤）
硬質表面の重質洗浄のための2種の典型的な洗浄組成物をここに提供する：
【表１３】
2017520668.tif 000018
【表１４】
2017520668.tif 000019
【０１６６】
これらの組成物は、塗装された基材又は表面から落書きを除去するための洗浄剤を与える。
【０１６７】
（実施例17:溶媒脱脂剤及びインク除去剤）
表面又は基材からのクレヨン又はペンの跡を洗浄又は除去する2種の典型的な洗浄組成物をここに提供する:
組成物17A
【表１５】
2017520668.tif 000020
組成物17B
【表１６】
2017520668.tif 000021
【０１６８】
これらの組成物は、塗装された表面又は基材、例えば、塗装された内装壁からクレヨン及びペンの跡を除去するためのスプレー式洗浄剤を与える。
【０１６９】
実施例2を組み込んだクレヨン及びインクの除去剤の第二の処方(組成物17B-LC#142J2701)を、改変したCSPA DCC-17を利用して、油性マーカーの洗浄効率に関して試験した。洗浄効率を、市販のクレヨン及びインクの除去剤と比較して評価した。
【０１７０】
パネル調製:メゾナイトタイルを、手洗い食器洗剤の軽質希釈液で洗浄し、パネルを風乾させた。
【０１７１】
インク/マーカー塗布:各マーカーの二重の塗布を、各線を1インチ(2.54cm)あけて、均一な直線でメゾナイトタイルの長い端に沿って塗布した。汚れた基材を、一晩室温で乾燥させた。
【０１７２】
洗浄試験:きれいな調整済みスポンジを各洗浄手順に利用した。20mLの洗浄剤を、湿ったスポンジに供給して、試験溶液を吸収させた(スポンジ及びホルダーは、約350グラムの重さがある)。スポンジを、製造された端がこすり落とす表面であるように置いた。装置中のタイルを、こすり落とす作用が、汚れの方向に垂直であるように置いた。洗浄装置を汚れた領域の上で運転し、およそ80%の除去が達成されるまでこすり落としを続けた。試験領域を冷水道水ですすいだ。
【０１７３】
評価:2名のパネリストの群が、以下の評価システムを利用して、洗浄された領域を評価した。各評価の平均を報告する。
5=すじがついていない完全な汚れの除去
4=すじがついているほぼ完全な汚れの除去
3=良好な汚れの除去
2=中程度の汚れの除去
1=不満足な汚れの除去
0=汚れの除去なし
【表１７】
2017520668.tif 000022
【０１７４】
上記表の洗浄剤により洗浄された代表的なタイルの写真を図5に示す。図5に示されるように、本発明による組成物(クレヨン/マーカー除去剤LC#142J2701)は、市販製品よりも良好な洗浄効率を示した。
【０１７５】
実施例2を組み込んだクレヨン及びインク除去剤の第二の処方(すなわち組成物17B)を、CSPA DCC-17を利用して、ワックスクレヨンの洗浄効率に関して試験した。洗浄効率を、市販及び高級ブランドハンドクリーナーと比較して評価した。
【０１７６】
パネル調製:メゾナイトタイルを、手洗い食器洗剤の軽質希釈液で洗浄し、パネルを風乾させた。
【０１７７】
クレヨン塗布:各蝋製のクレヨンの二重の塗布を、各線を1インチ(2.54cm)あけて、均一な直線でメゾナイトタイルの長い端に沿って塗布した。汚れた基材を、一晩室温で乾燥させた。
【０１７８】
洗浄試験:きれいな調整済みスポンジを各洗浄手順に利用した。20mLの洗浄剤を、湿ったスポンジに供給して、試験溶液を吸収させた(スポンジ及びホルダーは、約350グラムの重さがある)。スポンジを、製造された端がこすり落とす表面であるように置いた。タイルを、こすり落とす作用が汚れの方向に垂直であるように、装置中に置いた。洗浄装置を汚れた領域の上で運転し、およそ80%の除去が達成されるまでこすり落としを続けた。試験領域を冷水道水ですすいだ。
【０１７９】
評価:2名のパネリストの群が、以下の評価システムを利用して、洗浄された領域を評価した。各評価の平均を報告する。
5=すじがついていない完全な汚れの除去
4=すじがついているほぼ完全な汚れの除去
3=良好な汚れの除去
2=中程度の汚れの除去
1=不満足な汚れの除去
0=汚れの除去なし
【表１８】
2017520668.tif 000023
【０１８０】
上記表に示された洗浄剤により洗浄された代表的なタイルの写真を図6に示す。図6に示される通り、本発明による組成物(クレヨン/インク除去剤LC#142J2701)は、市販製品と同等の洗浄効率を示した。
【０１８１】
（実施例18:虫又はタールの除去剤(自動車外装洗浄剤)）
表面又は基材から虫又はタールを洗浄又は除去するための2種の典型的な洗浄組成物をここに提供する：
【表１９】
2017520668.tif 000024
【表２０】
2017520668.tif 000025
【０１８２】
これらの組成物は、トラックなどの車両の基材又は表面からの虫及びタールの除去のための重質外装洗浄剤を与える。
【０１８３】
（実施例19:万能洗浄剤及びエンジン脱脂剤）
エンジン又はエンジン部品の表面又は基材を脱脂するための7種の典型的な洗浄組成物をここに提供する：
【表２１】
2017520668.tif 000026
【表２２】
2017520668.tif 000027
【表２３】
2017520668.tif 000028
2017520668.tif 000029
【０１８４】
上記に示されたエンジン脱脂剤#Aと記された組成物を製造するために、メタケイ酸ナトリウム五水和物を水に加え、溶解するまで混合した。次いで、水酸化カリウムを加え、混合した。実施例2の組成物を加え、混合した。次いで、Tomadyne 100を加え、混合した。この組成物は、基本的なエンジン洗浄のための万能洗浄剤及び脱脂剤を与える。
【０１８５】
実施例2を組み込んだ万能洗浄剤及びエンジン脱脂剤の第二の処方(すなわちエンジン脱脂剤#B)を、ASTM D4488 A5を利用して、原油/ビチューメンの洗浄効率に関して試験した。洗浄効率を、市販及び高級ブランド洗浄剤と比較して評価した。
【０１８６】
原油塗布:少量の原油を、小さなピペットにより、自動車の塗装されたスチールパネルの中心に塗布した。レンズ拭きを使用して、油を平らにして均一コーティングにした。汚れたパネルをアルミニウムトレイ上に置き、400℃に設定した予熱されたオーブンに移した。48時間後、パネルを取り出し、試験前に周囲条件に最低90分間冷却した。
【０１８７】
洗浄試験:小さいセルローススポンジを、ASTM D4488 A5法に従って調整した。汚されエージングされたパネルを、テンプレートを使用してGardner Straight-line洗浄性装置に載せた。10.0ミリリットルの試験製品を、事前調整済みのスポンジに適用し、該スポンジを汚れの上に反転させた。Gardner機械を始動し、試験製品によりおよそ70〜90%の汚れが除去されるまで運転した。機械を停止した後、該パネルを冷水道水の流れですすぎ、風乾させた。
【０１８８】
評価:Nikonのカメラと照明の小部屋を使用して、洗浄したパネルのデジタル写真を撮影した。画像解析ソフトウェアを利用して画像を解析して、表面から除去されたビチューメンのパーセンテージを定量化した。除去された平均パーセンテージ及び該除去されたパーセンテージを達成するのに要したサイクル数を以下に報告する。
【表２４】
2017520668.tif 000030
【０１８９】
上記表に示される洗浄製品により洗浄された代表的なパネルの写真を図7に表す。図7に示される通り、本発明による組成物(LC#142J2302)は、市販製品と同等か、又はそれより良好な洗浄効率を示した。
【０１９０】
実施例2を組み込む万能洗浄剤及びエンジン脱脂剤の第二の処方(すなわち実施例脱脂剤#B)を、ASTM D4488 A5を利用して、汚れ混合物の洗浄効率に関して試験した。洗浄効率を、市販及び高級ブランド洗浄剤と比較して評価した。
【０１９１】
パネル調製:ステンレススチール板金を、6インチ(15.24cm)×6インチ(15.24cm)の正方形に切り出した。パネルをペーパータオルとアセトンで洗浄して、オイルフィニッシュ及び埃をパネルから除去した。白の半光沢塗料を洗浄したパネルに塗布し、7時間風乾させ、54.5℃のオーブン中に16時間置いた。使用前に、パネルを室温で7時間冷却した。
【０１９２】
汚れの塗布:該パネルを、汚れをペイントアプリケーターに塗布することにより、汚れ混合物により別々に汚し、次いで、それを、均一な汚れの塗布を得るのに必要な回数、調製したパネル全体に延ばした。最終的な汚れの領域は、幅が2.5インチ(6.35cm)で、パネルの全長にわたっていた。次いで、パネルを54.5℃のオーブン中に16〜17時間置いた。
【０１９３】
測色計測定:CR-410 Colorimeterの適切な較正の後、データプロセッサーをYモードに設定した。この試験では、「Y」値を使用することだけが必要であった。スチールパネルの反射率を、試験領域のグレインを垂直に横切り1パネルあたり5点測定することにより、汚染の前後に読み取った。5つの測定値から平均を計算し、結果の計算に使用した。
【０１９４】
洗浄試験:製品を受け取ったまま試験した(RTU)。汚れたパネルをスクラビングマシンに置き、Cクランプで基部に固定した。10mlの試験溶液をきれいな湿ったセルローススポンジに塗布し、湿った側が汚れたパネルと接触するように反転させ、2サイクルこすり落とした。パネルを取り除き、冷水道水で軽くすすぎ、風乾させた。
【０１９５】
洗浄効率%(C.E.)=(Rc-Rs)/(Ro-Rs)×100であり、式中、Rc=洗浄された反射率;Ro=元の反射率;及びRs=汚れた反射率である。
【表２５】
2017520668.tif 000031
【０１９６】
上記表に示された脱脂剤製品により洗浄された代表的なパネルの写真を図8に示す。図8に示される通り、本発明による組成物(エンジン脱脂剤LC#142J2302)は、市販製品と同等か、又はより良好な脱脂効率を示した。
【０１９７】
（実施例20:洗濯物予洗剤）
衣類表面及び基材などの布表面又は基材から洗濯物の汚れを洗浄又は事前洗浄するための典型的な洗浄組成物をここに提供する：
【表２６】
2017520668.tif 000032
【０１９８】
この組成物を、洗浄の前に洗濯物の汚れに適用して、汚れの除去及び/又は洗浄を促進できる。
【０１９９】
（実施例21:オーブン洗浄剤）
オーブンの表面又は基材を洗浄するための典型的な洗浄組成物をここに提供する。
組成物21A
【表２７】
2017520668.tif 000033
組成物21B
【表２８】
2017520668.tif 000034
【０２００】
これらの組成物は、家庭用オーブンの表面又は基材を洗浄するために使用できるスプレー式洗浄剤を提供する。
【０２０１】
実施例2を組み込んだオーブン洗浄剤の第二の処方(すなわち組成物21B)を、A-A-7B オーブン、グリル、及び洗浄可能な表面のアルカリ性洗浄剤-脱脂剤(Alkaline Cleaner-Degreaser of Ovens, Grills, and Washable Surfaces)の洗浄効率に関して試験した。洗浄効率を、市販及び高級ブランド洗浄剤と比べて評価した。
【０２０２】
手順:バター、砂糖、小麦粉、及び水の混合物を、20平方インチ(129cm2)当たり0.80グラムの割合で、ほうろうタイル上に広げた。タイルを375°F(190℃)で120分間ベーキングし、使用前に室温に冷却した。2つのタイルを縦向きに置き、均一な覆いが得られるまで洗浄剤をスプレーし、次いでタイルを30分間放置した。30分後、2つのタイルを、湿ったスポンジで軽くこすり、次いで水で流した。パネルを乾燥させ、洗浄を繰り返した。
【表２９】
2017520668.tif 000035
【０２０３】
図9に示される写真は、本発明による組成物(LC#142J2303)による洗浄の前後の代表的な汚れたタイルを表す。
【０２０４】
（実施例22:自動車内装洗浄剤）
自動車の内装表面又は基材を洗浄するための典型的な洗浄組成物をここに提供する：
【表３０】
2017520668.tif 000036
【０２０５】
この組成物は、自動車の内装表面又は基材を洗浄するためのスプレー式洗浄剤を与える。
【０２０６】
（実施例23:万能洗浄剤濃縮物）
典型的な濃縮洗浄組成物をここに提供する：
【表３１】
2017520668.tif 000037
【表３２】
2017520668.tif 000038
【０２０７】
これらの組成物は、例えば、軽工業用基材、床、及び表面の洗浄のために希釈できる。
【０２０８】
（実施例24:金属洗浄剤）
金属表面又は基材を洗浄するための典型的な洗浄組成物をここに提供する：
【表３３】
2017520668.tif 000039
【０２０９】
この組成物は、例えば、機械加工後の金属部品の基材又は表面のために有用な洗浄剤を提供する。
【０２１０】
（実施例25:パーソナルケア製品:ナイトクリーム、癖毛防止剤、及びリップグロス）
典型的なパーソナルケア製品をここに提供する：
ナイトクリーム:
【表３４】
2017520668.tif 000040
癖毛防止トリートメント:
【表３５】
2017520668.tif 000041
リップグロス:
【表３６】
2017520668.tif 000042
【０２１１】
（実施例26:脱脂ワイプ製剤）
脱脂ワイプ製剤をここに提供する：
【表３７】
2017520668.tif 000043
【０２１２】
上記に示された実施例2組成物を組み込む脱脂ワイプ製剤(ハンドクリーナータオル液体LC#141O0202)の処方を、ASTM D4488-95-A6(2001年に再承認)油、カーボンブラック及び粘土/ホワイトエナメル塗装されたステンレススチールパネル試験方法を利用して、洗浄性能及び洗浄の速度に関して試験した。洗浄性能及び洗浄の速度を、市販のハンドクリーナータオルと比較して評価した。
【０２１３】
パネル調製:ステンレススチール板金を、6インチ(15.24cm)×6インチ(15.24cm)の正方形に切り出した。該パネルをペーパータオル及びアセトンで洗浄して、オイルフィニッシュ及び塵をパネルから除いた。白い半光沢塗料を、洗浄したパネルに塗布した。該パネルを7時間風乾させ、次いで、54.5℃のオーブン中に16時間置いた。使用前に、該パネルを室温で7時間冷却した。
【０２１４】
汚れの塗布:該パネルを、汚れをペイントアプリケーターに塗布することにより、汚れ混合物により別々に汚し、次いで、それを、均一な汚れの塗布を得るのに必要な回数、調製したパネル全体に延ばした。最終的な汚れの領域は、幅が2.5インチ(6.35cm)で、パネルの全長にわたっていた。次いで、パネルを54.5℃のオーブン中に16〜17時間置いた。
【０２１５】
測色計測定:Chroma Meter CR-410 Colorimeterの適切な較正の後、そのデータプロセッサーをYモードに設定した。この試験では、「Y」値を使用することだけが必要であった。スチールパネルの反射率を、試験領域のグレインを垂直に横切って1パネルあたり5点測定することにより、汚染の前後に読み取った。5つの測定値から平均を計算し、結果の計算に使用した。
【０２１６】
洗浄試験:製品を受け取ったまま試験した(RTU)。汚れたパネルをGardner Blue Straight-line Washability Machineに載せ、Cクランプで基部に固定した。試験溶液(10mL)をきれいな湿ったセルローススポンジに塗布し、湿った側が汚れたパネルと接触するように反転させ、明示されたサイクル回数試験した。パネルを取り除き、冷水道水で軽くすすぎ、風乾させた
【０２１７】
洗浄効率を以下の通り計算した。
【０２１８】
%洗浄効率(C.E.)=(Rc-Rs)/(Ro-Rs)×100、式中、Rcは洗浄された反射率であり;Roは元の反射率であり;Rsは汚れた反射率である。
【０２１９】
洗浄効率パーセント及び洗浄サイクルの数を以下に示す：
【表３８】
2017520668.tif 000044
【０２２０】
図10Aは、上記表に示されるハンドクリーナーの洗浄効率を棒グラフとして表す。図10Aにおいて、2本の棒の組の左の各棒は、Scrubs-in-a-bucket hand cleaner(LC#14-T0776)から得られた市販のワイプエクストラクトの洗浄効率を表し、各組の右の各棒は、本洗浄製品実施態様(ハンドクリーナータオル液体ワイププロトタイプLC#141O0202)の洗浄効率を表す。図10Bに示される写真は、8サイクルの洗浄後に、洗浄効率が、本洗浄製品実施態様と市販の製剤との間で同等であったことを表す。
【０２２１】
上記に示された脱脂ワイプ製剤を、CSPA DCC-17油汚れ試験法を利用して、マーカー除去剤としての洗浄性能及び洗浄速度に関しても試験した。この方法は、硬い艶のない表面に使用されるスプレーアンドワイプ洗浄剤を評価する。本ハンドクリーナータオル液体LC#14O0202の洗浄効率を、市販及び高級ブランドハンドクリーナーと比較して評価した。
【０２２２】
パネル調製:メゾナイトタイルを、手洗い食器洗剤の軽質希釈液で洗浄し、次いでパネルをすすぎ、風乾させた。
【０２２３】
マーカー塗布:各マーカーの二重の塗布を、均一な直線でメゾナイトタイルの長い端に沿って塗布した。線を1インチ(2.54cm)あけた。汚れた基材を、室温で4時間乾燥させた。
【０２２４】
洗浄試験:洗浄試験のために、きれいなセルローススポンジを、各洗浄手順のために調整した。洗浄剤(10mL)を、湿ったスポンジに供給して、試験溶液を吸収させた。スポンジを、製造された端がこすり落とす表面であるように置いた。こすり落とす作用が、汚れの方向に垂直であるように、タイルを、Gardner Blue Straight-line Washability Machine中に置いた。洗浄装置を汚れた領域の上で運転し、こすり落としを50サイクル続けた。試験領域を冷水道水ですすいだ。
【０２２５】
評価:3名のパネリストの群が、以下の評価システムを利用してタイルを評価した。各評価の平均を報告する。
5=すじがついていない完全な汚れの除去
4=すじがついているほぼ完全な汚れの除去
3=良好な汚れの除去
2=中程度の汚れの除去
1=不満足な汚れの除去
0=汚れの除去なし
【表３９】
2017520668.tif 000045
【０２２６】
上記表に示されたハンドクリーナータオルで洗浄された代表的なタイルを表す写真を図11に示す。
【０２２７】
（実施例27:種々の溶媒候補によるタール汚れ除去の比較）
以下の5種の溶媒候補:d-リモネン、ファルネセン、主としてジヒドロファルネセンを含む組成物(例えば、実施例9組成物)、主としてヘキサヒドロファルネセンを含む組成物(例えば、約95重量%以上のヘキサヒドロファルネセンを含む組成物)、及びファルネサンを、タール汚れを除去するその能力に関して試験した。この実験において、Henry roofing adhesive 203の試料(重量0.5〜0.9グラム)を20mLバイアルに移し、該タール接着剤を一晩風乾させた。次いで、溶媒候補を加えた(10mL/0.5グラムの乾燥タール、実際の重量で調整)。バイアルに蓋をし、手作業で10分間振とうした。次いで、試料を、最初の評価において目視で評価し、溶解した物質の量を評価した。
【０２２８】
結果を図12に示す。図12に示されるように、d-リモネンは、その洗浄性能の点で良好な溶媒候補である。しかし、100パーセントのd-リモネンを含む溶媒は、そのVOC排出プロファイルのため、環境に関する規制要件を満たさない。さらに、d-リモネンの酸化安定性は、本溶媒実施態様(例えば、実施例2組成物)より低い。そのため、高いパーセント量のd-リモネンを含む最終製品は、消費者向け製品として理想的ではない。
【０２２９】
図12に示される通り、ファルネセンとジヒドロファルネセンはどちらも、約80パーセントのタール汚れを除去した。そのため、それらは良好な溶媒候補である。しかし、ファルネセンは熱的に不安定な傾向があり、そのため、ファルネセンは、主としてジヒドロファルネセンを含む組成物に比べて、溶媒としての使用に理想的ではない。また、図12に示される通り、ファルネサン及びヘキサヒドロファルネセンは、タール汚れの除去においてジヒドロファルネセンほどの性能がない。
【０２３０】
これらの結果は、多量のジヒドロファルネセンを含む本組成物が優れた溶媒候補であることを示しており、それは、その物性のためにVOC免除でもある。
【０２３１】
（実施例28:アスファルテン及びグリース汚れの除去）
金属洗浄用途に好適な2種の典型的な組成物をここに提供する。機能性流体110が、実施例17で上述された組成物LC#142J2701と同じ成分を有することが留意される。以下に示すように、機能性流体110は実施例2組成物を含み、機能性流体020は実施例9組成物を含む。
【表４０】
2017520668.tif 000046
【表４１】
2017520668.tif 000047
【０２３２】
機能性流体110及び機能性流体020は以下の物性を有する。
【表４２】
2017520668.tif 000048
【０２３３】
組成物(すなわち機能性流体110及び機能性流体020)は、一般及び重質機械加工、研削、ねじ山洗浄、並びに一般的な金属洗浄に適切な、費用対効果が高い溶液を与える。これらの組成物は、従来の金属加工流体に比べて、頑固な汚れに対してより良好な洗浄性能をもたらし、より長い貯蔵寿命を与える。
【０２３４】
図13A及び13Bは、上記表に示される機能性流体020、機能性流体110、及び市販の製品の製品性能データを表す。組成物を使用して、ASTM D4488-95 Gardner直線クーポン試験に基づいて、アスファルテン及びリチウムグリースを除去した。図13A及び13Bは、それぞれ、基材上のアスファルテン又はリチウムグリースの除去パーセントを表す。図13A及び13Bに示される通り、機能性流体110及び機能性流体020は、従来の金属洗浄製品、L142-ストッダード溶媒に比べて、全体として約20〜50%の性能向上をもたらした。例えば、図13Aに示される通り、アスファルテンの除去における機能性流体110の洗浄性能は、従来の金属洗浄製品L142-ストッダード溶媒より約50%良好であった。図13Bに示される通り、リチウムグリースの除去における機能性流体020の洗浄性能は、L142-ストッダード溶媒より約20%良好であった。
【０２３５】
本明細書に引用された全刊行物及び特許、特許出願は、各個別の刊行物又は特許出願が、具体的且つ個別に、引用により組み込まれると示されるかのように、引用により本明細書に組み込まれる。請求項記載の主題が種々の実施態様の観点で説明されたが、当業者は、種々の改良、置換、省略、及び変更が、その趣旨から逸脱することなくなされ得ることを認識するだろう。したがって、主題の範囲が、等価物を含む以下の請求項の範囲のみにより限定されることが意図される。
【図１−１】
2017520668.tif 000049
【図１−２】
2017520668.tif 000050
【図２−１】
2017520668.tif 000051
【図２−２】
2017520668.tif 000052
【図３】
2017520668.tif 000053
【図４】
2017520668.tif 000054
【図５】
2017520668.tif 000055
【図６】
2017520668.tif 000056
【図７】
2017520668.tif 000057
【図８】
2017520668.tif 000058
【図９】
2017520668.tif 000059
【図１０Ａ】
2017520668.tif 000060
【図１０Ｂ】
2017520668.tif 000061
【図１１】
2017520668.tif 000062
【図１２】
2017520668.tif 000063
【図１３】
2017520668.tif 000064
【国際調査報告】
2017520668.tif 000065
2017520668.tif 000066
2017520668.tif 000067